(57)【特許請求の範囲】
【請求項１】
アクセスネットワークデバイスであって、
変更指示メッセージを受信するよう構成される送受信ユニットであって、前記変更指示メッセージは、前記アクセスネットワークデバイスに、端末デバイスに更新を実行するよう指示するよう指示するために用いられる、送受信ユニットと、
更新メッセージを生成するよう構成される処理ユニットであって、前記更新メッセージは、前記端末デバイスに、更新を実行するよう指示するために用いられる、処理ユニットと
を備え、
前記送受信ユニットはさらに、前記更新メッセージを前記端末デバイスへ送信するよう構成され、
前記更新メッセージが前記端末デバイスに更新を実行するよう指示するために用いられることは、
前記更新メッセージが前記端末デバイスに非アクセス層タイプ（ＮＡＳタイプ）を更新する、および前記端末デバイスの鍵を更新するよう指示するために用いられることを含み、
ＮＡＳタイプを前記更新することは、第２のコアネットワークデバイスと通信を行うために用いられるＮＡＳタイプを、第１のコアネットワークデバイスと通信を行うために用いられるＮＡＳタイプに更新することを含み、
前記端末デバイスの鍵を前記更新することは、前記第２のコアネットワークデバイスと通信を行うために用いられる第１の鍵を、前記第１のコアネットワークデバイスと通信を行うために用いられる第２の鍵に更新することを含む、アクセスネットワークデバイス。
【請求項２】
前記変更指示メッセージは、前記端末デバイスの第２の鍵、および／または第２のコアネットワークインターフェース上の前記端末デバイスの識別子についての情報を含む、
請求項１に記載のアクセスネットワークデバイス。
【請求項３】
前記送受信ユニットはさらに、変更メッセージを前記第２のコアネットワークデバイスへ送信するよう構成され、前記変更メッセージは、前記端末デバイスと前記第２のコアネットワークデバイスとの間の接続が、前記端末デバイスと前記第１のコアネットワークデバイスとの間の接続に切り替えられる必要があることを、前記第２のコアネットワークデバイスへ通知するために用いられる、
請求項１または２に記載のアクセスネットワークデバイス。
【請求項４】
前記第２のコアネットワークデバイスは、５Ｇのコアネットワークデバイス、または新無線（ＮＲ）コアネットワークデバイスであり、
前記第１のコアネットワークデバイスは、ロングタームエボリューション（ＬＴＥ）コアネットワーク、または進化型パケットコア（ＥＰＣ）デバイスである、
請求項１から３の何れか一項に記載のアクセスネットワークデバイス。
【請求項５】
前記処理ユニットは、第１のメッセージを生成するよう構成され、前記第１のメッセージは、前記第１のコアネットワークデバイスのルート識別子についての情報、または第１のコアネットワークにおける前記アクセスネットワークデバイスの識別子についての情報を含み、
前記送受信ユニットは、前記第１のメッセージを送信するよう構成される、
請求項１から４の何れか一項に記載のアクセスネットワークデバイス。
【請求項６】
端末デバイスであって、
更新メッセージを受信するよう構成される送受信ユニットであって、前記更新メッセージは、前記端末デバイスに、非アクセス層タイプ（ＮＡＳタイプ）を更新する、および前記端末デバイスの鍵を更新するよう指示するよう用いられる、送受信ユニットと、
前記ＮＡＳタイプを更新する、および前記端末デバイスの前記鍵を更新するよう構成される処理ユニットと
を備え、
ＮＡＳタイプを前記更新することは、第２のコアネットワークデバイスと通信を行うために用いられるＮＡＳタイプを、第１のコアネットワークデバイスと通信を行うために用いられるＮＡＳタイプに更新することを含み、
前記端末デバイスの鍵を前記更新することは、前記第２のコアネットワークデバイスと通信を行うために用いられる第１の鍵を、前記第１のコアネットワークデバイスと通信を行うために用いられる第２の鍵に更新することを含む、
端末デバイス。
【請求項７】
前記第１のコアネットワークデバイスおよび前記第２のコアネットワークデバイスは、同じアクセスネットワークデバイスを用いることによって前記端末デバイスと通信を行う、
請求項６に記載の端末デバイス。
【請求項８】
前記処理ユニットは、能力メッセージを生成するよう構成され、前記能力メッセージは、前記端末デバイスが前記第１のコアネットワークデバイスとの接続を確立することを前記端末デバイスがサポートすることを示すために用いられ、
前記送受信ユニットは、前記能力メッセージを送信するよう構成される、
請求項６または７に記載の端末デバイス。
【請求項９】
前記第２のコアネットワークデバイスと通信を行うために用いられる第１の鍵を、前記第１のコアネットワークデバイスと通信を行うために用いられる第２の鍵に前記更新することは、
前記端末デバイスのローカルキーを前記第１の鍵から前記第２の鍵に切り替えること、および前記ローカルキーと前記第１の鍵との間にマッピング関係が存在することを含む、
請求項６から８の何れか一項に記載の端末デバイス。
【請求項１０】
前記第２のコアネットワークデバイスは、５Ｇのコアネットワークデバイス、または新無線（ＮＲ）コアネットワークデバイスであり、
前記第１のコアネットワークデバイスは、ロングタームエボリューション（ＬＴＥ）コアネットワーク、または進化型パケットコア（ＥＰＣ）デバイスである、
請求項６から９の何れか一項に記載の端末デバイス。
【請求項１１】
ハンドオーバ方法であって、
アクセスネットワークデバイスが、変更指示メッセージを受信する段階であって、前記変更指示メッセージは、前記アクセスネットワークデバイスに、端末デバイスに更新を実行するよう指示するよう指示するために用いられる、段階と、
前記アクセスネットワークデバイスが、更新メッセージを生成する段階であって、前記更新メッセージは、前記端末デバイスに、更新を実行するよう指示するために用いられる、段階と、
前記アクセスネットワークデバイスが、前記更新メッセージを前記端末デバイスへ送信する段階と
を備え、
前記更新メッセージが前記端末デバイスに更新を実行するよう指示するために用いられることは、
前記更新メッセージが前記端末デバイスに非アクセス層タイプ（ＮＡＳタイプ）を更新する、および前記端末デバイスの鍵を更新するよう指示するために用いられることを含み、
ＮＡＳタイプを前記更新する段階は、
第２のコアネットワークデバイスと通信を行うために用いられるＮＡＳタイプを、第１のコアネットワークデバイスと通信を行うために用いられるＮＡＳタイプに更新する段階を含み、
前記端末デバイスの鍵を前記更新する段階は、前記第２のコアネットワークデバイスと通信を行うために用いられる第１の鍵を、前記第１のコアネットワークデバイスと通信を行うために用いられる第２の鍵に更新する段階を含む、ハンドオーバ方法。
【請求項１２】
前記変更指示メッセージは、前記端末デバイスの第２の鍵、および／または第２のコアネットワークインターフェース上の前記端末デバイスの識別子についての情報を含む、
請求項１１に記載のハンドオーバ方法。
【請求項１３】
前記アクセスネットワークデバイスが、変更メッセージを前記第２のコアネットワークデバイスへ送信する段階であって、前記変更メッセージは、前記端末デバイスと、前記第２のコアネットワークデバイスとの間の接続が前記端末デバイスと、前記第１のコアネットワークデバイスとの間の接続に切り替えられることが必要であることを、前記第２のコアネットワークデバイスへ通知するために用いられる、段階
を備える、請求項１１または１２に記載のハンドオーバ方法。
【請求項１４】
前記第２のコアネットワークデバイスは、５Ｇのコアネットワークデバイス、または新無線（ＮＲ）コアネットワークデバイスであり、
前記第１のコアネットワークデバイスは、ロングタームエボリューション（ＬＴＥ）コアネットワーク、または進化型パケットコア（ＥＰＣ）デバイスである、
請求項１１から１３の何れか一項に記載のハンドオーバ方法。
【請求項１５】
前記ハンドオーバ方法はさらに、
前記アクセスネットワークデバイスが、第１のメッセージを送信へ送信段階であって、前記第１のメッセージは、前記第１のコアネットワークデバイスのルート識別子についての情報、または第１のコアネットワークにおける前記アクセスネットワークデバイスの識別子についての情報を含む、段階を備える、請求項１１から１４の何れか一項に記載のハンドオーバ方法。
【請求項１６】
ハンドオーバ方法であって、
端末デバイスが、更新メッセージを受信する段階であって、前記更新メッセージは、前記端末デバイスに、非アクセス層タイプ（ＮＡＳタイプ）を更新する、および前記端末デバイスの鍵を更新するよう指示するために用いられる、段階と、
前記端末デバイスが、前記ＮＡＳタイプを更新する、および前記端末デバイスの前記鍵を更新する段階と
を備え、
ＮＡＳタイプを前記更新する段階は、第２のコアネットワークデバイスと通信を行うために用いられるＮＡＳタイプを、第１のコアネットワークデバイスと通信を行うために用いられるＮＡＳタイプに更新する段階を含み、
前記端末デバイスの鍵を前記更新する段階は、前記第２のコアネットワークデバイスと通信を行うために用いられる第１の鍵を、前記第１のコアネットワークデバイスと通信を行うために用いられ第２の鍵に更新する段階を含む、
ハンドオーバ方法。
【請求項１７】
前記第１のコアネットワークデバイスおよび前記第２のコアネットワークデバイスは、同じアクセスネットワークデバイスを用いることによって前記端末デバイスと通信を行う、
請求項１６に記載のハンドオーバ方法。
【請求項１８】
前記ハンドオーバ方法はさらに、
前記端末デバイスが、能力メッセージを送信する段階であって、前記能力メッセージは、前記端末デバイスが前記第１のコアネットワークデバイスとの接続を確立することを前記端末デバイスがサポートすることを示すために用いられる、段階を備える、請求項１６または１７に記載のハンドオーバ方法。
【請求項１９】
前記第２のコアネットワークデバイスと通信を行うために用いられる第１の鍵を、前記第１のコアネットワークデバイスと通信を行うために用いられる第２の鍵に前記更新する段階は、
前記端末デバイスのローカルキーを前記第１の鍵を前記第２の鍵に切り替える段階、および前記ローカルキーと前記第１の鍵との間にマッピング関係が存在することを含む、
請求項１６から１８の何れか一項に記載のハンドオーバ方法。
【請求項２０】
前記第２のコアネットワークデバイスは、５Ｇのコアネットワークデバイス、または新無線（ＮＲ）コアネットワークデバイスであり、
前記第１のコアネットワークデバイスは、ロングタームエボリューション（ＬＴＥ）コアネットワーク、または進化型パケットコア（ＥＰＣ）デバイスである、
請求項１６から１９の何れか一項に記載のハンドオーバ方法。
【請求項２１】
請求項１１から１５の何れか一項に記載のハンドオーバ方法を実行するよう構成される装置。
【請求項２２】
請求項１６から２０の何れか一項に記載のハンドオーバ方法を実行するよう構成される装置。
【請求項２３】
コンピュータ可読記憶媒体であって、
前記コンピュータ可読記憶媒体は、プログラムを記憶し、前記プログラムがプロセッサにより実行されたとき、請求項１１から２０の何れか一項に記載のハンドオーバ方法が実行される、
コンピュータ可読記憶媒体。
【請求項２４】
プログラムであって、前記プログラムが実行されたとき、請求項１１から２０の何れか一項に記載のハンドオーバ方法が実行される、
プログラム。
【請求項２５】
請求項１から５の何れか一項に記載のアクセスネットワークデバイス、および請求項６から１０の何れか一項に記載の端末デバイスを備える通信システム。
【発明の詳細な説明】
【技術分野】
【０００１】
本発明の実施形態は、無線通信技術の分野に関し、より具体的には、ハンドオーバ方法、コアネットワークデバイス、アクセスネットワークデバイス、および端末デバイスに関する。
【背景技術】
【０００２】
従来の無線通信ネットワークにおいて、通常、独立したネットワークが存在する。それに対応して、それぞれのネットワークは、ネットワークに対応するコアネットワークデバイスおよびアクセスネットワークデバイスを有する。図１は、２つの独立したネットワークを示す。３Ｇネットワークが例として用いられる。３Ｇネットワークのコアネットワークデバイスは、サービスＧＰＲＳサポートノード（ＳＧＳＮ）であってよく、３Ｇネットワークのアクセスネットワークデバイスは、無線ネットワークコントローラ（ＲＮＣ）であってよい。４Ｇネットワークに対して、４Ｇネットワークのアクセスネットワークデバイスは、ｅＮＢであってよく、４Ｇネットワークのコアネットワークデバイスは、モビリティ管理エンティティ（ＭＭＥ）、またはＰＤＮゲートウェイ（Ｐ−ＧＷ）／ゲートウェイＧＰＲＳサポートノード（ＧＧＳＮ）であってよい。端末デバイスがネットワークから別のネットワークへハンドオーバされたとき、例えば、端末デバイスが３Ｇネットワークから４Ｇネットワークへハンドオーバされたとき、２つのネットワークのアクセスネットワークデバイスおよびコアネットワークデバイスは、スケジューリングされる必要がある。具体的には、以下の手順または同様の手順が含まれ得る。ＲＮＣは、ＵＥの測定に基づき、ハンドオーバを実行する必要があるターゲットセルを決定し、ターゲットセルに基づき、ターゲットｅＮＢを選択し、そして、ハンドオーバ要求をＳＧＳＮへ送信する。ＳＧＳＮは、ハンドオーバメッセージをＭＭＥへ転送する。ＭＭＥは、ＬＴＥネットワークにおいて、Ｓ−ＧＷ／Ｐ−ＧＷとｅＮＢとの接続を確立する。ターゲットｅＮＢとの接続を確立した後に、ＭＭＥは、問題なく確立された無線接続ベアラ（ＲＡＢ）をＳＧＳＮへ通知し、ＳＧＳＮは、解放される必要のある、確立が失敗したＲＡＢと、データ転送が必要とされている、問題なく確立されたＲＡＢとを、ＲＮＣへ通知する責任を担う。
【０００３】
無線通信技術の開発に伴い、ネットワーク構造が変化したとき、既存の解決手段は、端末デバイスとコアネットワークデバイスとの間の接続の切り替えの問題を解決することができない。
【発明の概要】
【０００４】
本発明の実施形態は、ネットワーク構造が変化したとき、より効果的なハンドオーバ解決手段を提供するために、ハンドオーバ方法、コアネットワークデバイス、アクセスネットワークデバイス、および端末デバイスを提供する。
【０００５】
１つの態様によれば、本発明の実施形態は、ハンドオーバ方法を提供する。方法は、図３に示されている通信システムに適用される。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって端末デバイスと通信を行う。
【０００６】
方法は、以下の段階を備える。
【０００７】
任意選択的に、３１１．端末デバイスが第２のコアネットワークデバイスとの接続を確立する。
【０００８】
任意選択的に、３１２．アクセスネットワークデバイスが、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。第１のコアネットワークデバイスのルート識別子についての情報は、第２のコアネットワークデバイスにより第１のコアネットワークデバイスへ送信される予定のメッセージのルートを示すために用いられる。
【０００９】
任意選択的に、３１３．第２のコアネットワークデバイスが、能力メッセージを受信し、ここで、能力メッセージは、端末デバイスが第１のコアネットワークデバイスとの接続を確立することを端末デバイスがサポートすることを示すために用いられる。
【００１０】
３２１．第２のコアネットワークデバイスは、端末デバイスと第２のコアネットワークデバイスとの間の接続が、端末デバイスと第１のコアネットワークデバイスとの間の接続に切り替えられる必要があると決定する。さらに、第２のコアネットワークデバイスは、第２のコアネットワークデバイスの条件に基づき、切り替えが必要とされていると決定し得る。例えば、第２のコアネットワークデバイスの負荷状態に基づき、これ以上サービスを受け入れることができない。例えば、条件が閾値を超過している。例えば、現在第２のコアネットワークにアクセスしている端末デバイスの数が特定の閾値を超過している。あるいは、切り替えは、イベント、例えば、別のネットワーク要素により送信されたメッセージが受信されるというイベントに基づいてトリガされ得る。あるいは、切り替えは、端末デバイスのサービス情報に基づいてトリガされ得て、例えば、端末デバイスのユーザにより現在要求されているサービスの特性に基づき、端末デバイスは、第１のコアネットワークにおいて実行するのにより適し、切り替えをトリガし得る。
【００１１】
３２３．第２のコアネットワークデバイスが変更メッセージを第１のコアネットワークデバイスへ送信し、ここで、変更メッセージは、端末デバイスと第２のコアネットワークデバイスとの間の接続が端末デバイスと第１のコアネットワークデバイスとの間の接続に切り替えされる必要があることを第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。第２のコアネットワークデバイスが端末デバイスとの接続を確立しているため、第２のコアネットワークデバイスは、端末デバイスの記憶された第１の鍵を有する。第２のコアネットワークデバイスは、第１のコアネットワークデバイスのルート識別子についての情報に基づき、変更メッセージを第１のコアネットワークデバイスへ送信するためのルートを取得し得る。さらに、第２のコアネットワークデバイスは、メッセージを生成した後に、変更メッセージを送信する。
【００１２】
３２５．第１のコアネットワークデバイスが変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスｎ識別子についての情報を含み、第２の鍵は、第１の鍵に基づいて取得される。第２のコアネットワークインターフェース上の端末デバイスの識別子は、アクセスネットワークデバイスが第２のコアネットワークデバイスと通信を行うインタフェース上の端末デバイスを識別するために用いられる識別子を含み、例えば、Ｓ１  ＡＰ  ＵＥ  ＩＤであり得る。通常、Ｓ１  ＡＰ  ＵＥ  ＩＤは、一対のＵＥ識別子を含む。例えば、Ｓ１  ＡＰ  ＵＥ  ＩＤはさらに、ｅＮＢ  Ｓ１  ＡＰ  ＵＥ  ＩＤおよび／またはＭＭＥ  Ｓ１  ＡＰ  ＵＥ  ＩＤを含む。ｅＮＢ  Ｓ１  ＡＰ  ＵＥ  ＩＤは、Ｓ１インタフェース上の基地局側のＵＥを識別するために用いられる識別子であり、ＭＭＥ  Ｓ１  ＡＰ  ＵＥ  ＩＤは、Ｓ１インタフェース上のＭＭＥ側のＵＥを識別するために用いられる識別子である。同様に、識別子は代わりに、ＮＧ１  ＡＰ  ＵＥ  ＩＤであってよく、ＮＧ１  ＡＰ  ＵＥ  ＩＤという識別子は、ｇＮＢ  ＮＧ１  ＡＰ  ＵＥ  ＩＤおよび／またはＮＧ−Ｃ  ＮＧ１  ＡＰ  ＵＥ  ＩＤを含む。
【００１３】
変更メッセージを受信した後に、第１のコアネットワークデバイスは、第１のコアネットワークデバイスが、端末デバイスとの接続を確立するタスクを受け入れる予定であることを知り得て、それに対応して、第１のコアネットワークデバイスは、リソースを準備して、端末デバイスとの通信を確立するよう準備する。第１のコアネットワークデバイスがタスクを受け入れることができないと第１のコアネットワークデバイスが決定した場合、第１のコアネットワークデバイスは、拒否メッセージを第２のコアネットワークデバイスへフィードバックしてよく（不図示）、そして、第２のコアネットワークデバイスは、拒否メッセージに基づき、別のコアネットワークデバイスまたは別の処理方式を検索し得る（不図示）。
【００１４】
第１の鍵は、端末デバイスと第２のコアネットワークデバイスとの間の通信のために用いられ、かつ、第２のコアネットワーク技術に適合される鍵である。第１のコアネットワークデバイスは、第１のコアネットワークデバイスのコアネットワーク技術を用いることによって、端末デバイスの第１の鍵に基づき、第１のコアネットワークにおける端末デバイスの適合される第２の鍵を推定する。それに対応して、第２の鍵は、端末デバイスと第１のコアネットワークデバイスとの間の通信のために用いられ、かつ、第１のコアネットワーク技術に適合される鍵である。
【００１５】
３２７．第１のコアネットワークデバイスが、変更指示メッセージをアクセスネットワークデバイスへ送信する。さらに、第１のコアネットワークデバイスは、第１のコアネットワークにおけるアクセスネットワークデバイスの識別子についての情報に基づき、変更指示メッセージをアクセスネットワークデバイスへ送信し得る。
【００１６】
３２８．アクセスネットワークデバイスは、更新メッセージを生成し、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。端末デバイスの更新済み鍵は、端末デバイス上に記憶されているローカルキーに基づいて取得される。任意選択的に、新規キーが、第１のコアネットワークデバイスと同じ推定方法を用いることによって、ローカルキーから推定される。端末デバイスのＮＡＳが、端末デバイスとコアネットワークデバイスとの間の通信の機能であり、異なるタイプのＮＡＳは、端末デバイスと、異なるタイプのコアネットワークデバイスとの間で用いられることが必要である。例えば、３Ｇのプロトコルにおいて画定されているＮＡＳ機能は、端末デバイスと３Ｇのコアネットワークデバイスとの間の通信のために用いられる必要があり、４Ｇのプロトコルにおいて画定されているＮＡＳ機能は、端末デバイスと４Ｇのコアネットワークデバイスとの間の通信のために用いられる必要があり、５Ｇのプロトコルにおいて画定されているＮＡＳ機能は、端末デバイスと５Ｇのコアネットワークデバイスとの間の通信のために用いられる必要がある。
【００１７】
３２９．アクセスネットワークデバイスが、更新メッセージを端末デバイスへ通知する。
【００１８】
３４１．端末デバイスが、更新メッセージに基づき、ローカルキーを更新する、および／または非アクセス層ＮＡＳタイプを変更する。
【００１９】
任意選択的に、３３１．アクセスネットワークデバイスが、肯定応答メッセージを第１のコアネットワークデバイスへ送信し、ここで、肯定応答メッセージは、アクセスネットワークデバイスおよび端末デバイスが切り替えを完了していることを示すために用いられる。
【００２０】
任意選択的に、３３２．第１のコアネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【００２１】
方法はさらに、段階３３１および３３２の代わりとして、段階３３１'を、備えてよく：アクセスネットワークデバイスが、解放メッセージを第２のコアネットワークデバイスへ送信し、解放メッセージは、第２のコアネットワークデバイスに、端末デバイスと第２のコアネットワークデバイスとの間の接続を解放するよう指示するために用いられる。
【００２２】
任意選択的に、第２のコアネットワークデバイスは、端末デバイスと第２のコアネットワークデバイスとの間の接続を解放する（不図示）。
【００２３】
第２のコアネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【００２４】
さらに、ネットワーク通信処理において、端末デバイスは、端末デバイスの鍵および用いられた通信プロトコルをタイムリーに更新し、切り替えを問題なく完了する。
【００２５】
前述の方法を用いる通信システム、第２のコアネットワークデバイス、第１のコアネットワークデバイス、アクセスネットワークデバイス、および端末デバイスは別々に開示され、同様の利点を有する。図３、図３−１、図３−２、図３−３、および図３−４を参照されたい。
【００２６】
別の態様によれば、本発明の実施形態は、ハンドオーバ方法を提供する。方法は、図４に示されている通信システムに適用される。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって端末デバイスと通信を行う。
【００２７】
方法は、以下の段階を備える。
【００２８】
任意選択的に、３１１．端末デバイスが、アクセスネットワークデバイスを用いることによって、第２のコアネットワークデバイスとの接続を確立する。
【００２９】
任意選択的に、３１２．アクセスネットワークデバイスが、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。
【００３０】
４２１．アクセスネットワークデバイスは、端末デバイスと第２のコアネットワークデバイスとの間の接続が、端末デバイスと第１のコアネットワークデバイスとの間の接続に切り替えられる必要があると決定する。さらに、アクセスネットワークデバイスは、アクセスネットワークの条件、または第２のコアネットワークデバイスの状態に基づき、切り替えを開始し得る。例えば、アクセスネットワークデバイスは、第２のコアネットワークデバイスの負荷状態に基づき、これ以上サービスを受け入れることができないと推測する。あるいは、アクセスネットワークデバイスは、第２のコアネットワークデバイスのメッセージを受信し、切り替えが必要とされていることを通知され、この場合、アクセスネットワークデバイスは、切り替えが必要とされていると能動的に決定する。アクセスネットワークデバイスはあるいは、切り替えをトリガするように別のネットワーク要素により送信されたメッセージを受信し得ることが理解され得る。
【００３１】
４２２．アクセスネットワークデバイスが変更メッセージを第２のコアネットワークデバイスへ送信し、ここで、変更メッセージは、端末デバイスと第２のコアネットワークデバイスとの間の接続が、端末デバイスと第１のコアネットワークデバイスとの間の接続に切り替えられる必要があることを、第２のコアネットワークデバイスへ通知するために用いられる。任意選択的に、変更メッセージは、第２のコアネットワークインターフェース上の端末デバイスの識別子についての情報を含む。第２のコアネットワークインターフェース上の端末デバイスの識別子は、アクセスネットワークデバイスが第２のコアネットワークデバイスと通信を行うインタフェース上の端末デバイスを識別するために用いられる識別子である。
【００３２】
任意選択的に、変更メッセージは、第１のコアネットワークデバイスのルート識別子についての情報、および／または第１のコアネットワークにおけるアクセスネットワークデバイスの識別子についての情報を含んでよい。２つのタイプの情報が第２のコアネットワークデバイスにより用いられることが理解され得る。第２のコアネットワークデバイスが、別の方式で当該情報、または当該情報の一部を知った場合、段階３１２または段階４２２を用いて既知の情報を送信することが不必要となる。第１のコアネットワークデバイスのルート識別子についての情報および第１のコアネットワークにおけるアクセスネットワークデバイスの識別子についての情報の一方または両方は、段階３１２において第１のメッセージを用いることによって送信され得ることが理解され得る。この場合、段階４２２における変更メッセージは、第１のメッセージを用いることによって送信された情報を含まない場合がある。代わりに、第１のコアネットワークデバイスのルート識別子についての情報および第１のコアネットワークにおけるアクセスネットワークデバイスの識別子についての情報の一方または両方は、段階４２２における変更メッセージを用いることによって送信され得る。この場合、段階３１２における第１のメッセージは、変更メッセージを用いることによって送信される必要がある情報を含まない場合があり、または、段階３１２でさえ省略される。
【００３３】
４２３．第２のコアネットワークデバイスが変更肯定応答メッセージを生成し、ここで、変更肯定応答メッセージは、端末デバイスと第２のコアネットワークデバイスとの間の接続が端末デバイスと第１のコアネットワークデバイスとの間の接続に切り替えられる必要があることを、第１のコアネットワークデバイスへ通知するために用いられる。任意選択的に、変更肯定応答メッセージは、端末デバイスの第１の鍵、第１のコアネットワークにおけるアクセスネットワークデバイスの識別子についての情報、第２のコアネットワークインターフェース上の端末デバイスの識別子についての情報といった３つの項目のうち１つまたはそれらの組み合わせを含む。第２のコアネットワークデバイスは、変更メッセージを受信し、端末デバイスと第２のコアネットワークデバイスとの間の接続が端末デバイスと第１のコアネットワークデバイスとの間の接続に切り替えられる必要があることを知り、それに対応して、通信リソースを準備する。第１のコアネットワークデバイスが問題なく端末デバイスと接続することを可能にするために、第２のコアネットワークデバイスは、対応する情報を送信する。端末デバイスの第１の鍵、第１のコアネットワークにおけるアクセスネットワークデバイスの識別子についての情報、および第２のコアネットワークインターフェース上の端末デバイスの識別子についての情報は、図３の解決手段におけるそれらと同様または一致する。詳細は再び説明されない。
【００３４】
４２４．第２のコアネットワークデバイスが、変更肯定応答メッセージを第１のコアネットワークデバイスへ送信する。
【００３５】
任意選択的に、第２のコアネットワークデバイスは、第１のコアネットワークデバイスのルート識別子についての情報に基づき、第１のコアネットワークデバイスを発見し得る。
【００３６】
３２５．第１のコアネットワークデバイスは、変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される。
【００３７】
３２７．第１のコアネットワークデバイスが、変更指示メッセージをアクセスネットワークデバイスへ送信する。
【００３８】
３２８．アクセスネットワークデバイスが、更新メッセージを生成し、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。端末デバイスの更新済み鍵は、端末デバイス上に記憶されているローカルキーに基づいて取得される。
【００３９】
３２９．アクセスネットワークデバイスが、更新メッセージを端末デバイスへ通知する。
【００４０】
３４１．端末デバイスが、更新メッセージに基づき、ローカルキーを更新する、および／または非アクセス層ＮＡＳタイプを変更する。ＮＡＳタイプを更新することは、第２のコアネットワークデバイスと通信を行うために用いられるＮＡＳタイプを、第１のコアネットワークデバイスと通信を行うために用いられるＮＡＳタイプに更新することを含み、端末デバイスの鍵を更新することは、第２のコアネットワークデバイスと通信を行うために用いられる第１の鍵を、第１のコアネットワークデバイスと通信を行うために用いられる第２の鍵に更新することを含む。
【００４１】
任意選択的に、３３１．アクセスネットワークデバイスが、肯定応答メッセージを第１のコアネットワークデバイスへ送信し、ここで、肯定応答メッセージは、アクセスネットワークデバイスおよび端末デバイスが切り替えを完了していることを示すために用いられる。
【００４２】
任意選択的に、３３２．第１のコアネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【００４３】
方法はさらに、段階３３１および３３２の代わりとして、段階３３１'を備えてよい：アクセスネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【００４４】
さらに、第２のコアネットワークデバイスは、端末デバイスと第２のコアネットワークデバイスとの間の接続を解放する（不図示）。
【００４５】
アクセスネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【００４６】
前述の方法を用いる通信システム、第２のコアネットワークデバイス、第１のコアネットワークデバイス、アクセスネットワークデバイス、および端末デバイスは別々に開示され、同様の利点を有する。図４、図４−１、図４−２、図４−３、および図４−４を参照されたい。
【００４７】
さらに別の態様によれば、本発明の実施形態は、ハンドオーバ方法を提供する。方法は、図５に示されている通信システムに適用される。通信システムは、端末デバイスと、第１のアクセスネットワークデバイスと、第２のアクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって端末デバイスと通信を行い、同じアクセスネットワークデバイスは、第１のアクセスネットワークデバイスである。
【００４８】
方法は、以下の段階を備える。
【００４９】
任意選択的に、３１１．端末デバイスは、第２のアクセスネットワークデバイスを用いることによって、第２のコアネットワークデバイスとの接続を確立する。
【００５０】
任意選択的に、３１２．第１のアクセスネットワークデバイスが、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。
【００５１】
任意選択的に、３１３．第２のコアネットワークデバイスが、能力メッセージを受信し、ここで、能力メッセージは、端末デバイスが第１のコアネットワークデバイスとの接続を確立することを端末デバイスがサポートすることを示すために用いられる。
【００５２】
５１４．第２のアクセスネットワークデバイスがハンドオーバメッセージを生成し、ここで、ハンドオーバメッセージは、端末デバイスと第２のアクセスネットワークデバイスとの間の接続が、端末デバイスと第１のアクセスネットワークデバイスとの間の接続に切り替えられる必要があることを示すために用いられる。さらに、ハンドオーバメッセージは、第２のコアネットワークインターフェース上の端末デバイスの識別子についての情報を含む。第２のコアネットワークインターフェース上の端末デバイスの識別子は、アクセスネットワークデバイスが第２のコアネットワークデバイスと通信を行うインタフェース上の端末デバイスを識別するために用いられる識別子を含み、例えば、Ｓ１  ＡＰ  ＵＥ  ＩＤであってよい。
【００５３】
５１５．第２のアクセスネットワークデバイスが、ハンドオーバメッセージを第１のアクセスネットワークデバイスへ送信する。
【００５４】
第２のアクセスネットワークデバイスがハンドオーバメッセージを送信し、別のネットワーク要素に、端末デバイスとの接続を確立するように準備するよう指示する。
【００５５】
５１６．第１のアクセスネットワークデバイスが報告メッセージを生成し、ここで、報告メッセージは、端末デバイスと第２のアクセスネットワークデバイスとの間の接続が、端末デバイスと第１のアクセスネットワークデバイスとの間の接続に切り替えられる必要があることを、第２のコアネットワークデバイスへ通知するために用いられる。さらに、報告メッセージは、第２のコアネットワークインターフェース上の端末デバイスの識別子についての情報を含む。別の態様における変更メッセージと同様に、報告メッセージはさらに、第１のコアネットワークデバイスのルート識別子についての情報、または第１のコアネットワークにおけるアクセスネットワークデバイスの識別子についての情報を含んでよい。
【００５６】
５１７．第１のアクセスネットワークデバイスが、報告メッセージを第２のコアネットワークデバイスへ送信する。
【００５７】
５２１．第２のコアネットワークデバイスは、端末デバイスと第２のコアネットワークデバイスとの間の接続が、端末デバイスと第１のコアネットワークデバイスとの間の接続に切り替えられる必要があると決定する。
【００５８】
５２３．第２のコアネットワークデバイスが、変更メッセージを第１のコアネットワークデバイスへ送信し、ここで、変更メッセージは、端末デバイスと第２のコアネットワークデバイスとの間の接続が端末デバイスと第１のコアネットワークデバイスとの間の接続に切り替えられる必要があることを、第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。
【００５９】
３２５．第１のコアネットワークデバイスが変更指示メッセージを生成し、ここで、変更指示メッセージは、端末デバイスに、アクセスネットワークデバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される。
【００６０】
３２７．第１のコアネットワークデバイスが変更指示メッセージを第１のアクセスネットワークデバイスへ送信する。さらに、第１のコアネットワークデバイスは、第１のコアネットワークにおけるアクセスネットワークデバイスの識別子についての情報に基づき、変更指示メッセージをアクセスネットワークデバイスへ送信し得る。
【００６１】
３２８．第１のアクセスネットワークデバイスが更新メッセージを生成し、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。端末デバイスの更新済み鍵は、端末デバイス上に記憶されているローカルキーに基づいて取得される。
【００６２】
５２９．第１のアクセスネットワークデバイスが、更新メッセージを端末デバイスへ通知する。
【００６３】
第１のアクセスネットワークデバイスが第２のアクセスネットワークデバイスからのセル間ハンドオーバを完了した場合、言い換えれば、第１のアクセスネットワークデバイスが端末デバイスとの直接接続を確立した場合、もはや第２のアクセスネットワークデバイスを用いる必要がなく、第１のアクセスネットワークデバイスは、更新メッセージを端末デバイスへ直接通知してよいことが理解され得る。代替的な解決手段として、第１のアクセスネットワークデバイスは、第２のアクセスネットワークデバイスを用いて更新メッセージを転送してよく（不図示）、言い換えれば、第２のアクセスネットワークデバイスは、更新メッセージを処理せず、更新メッセージの転送のみを行うことが理解され得る。
【００６４】
任意選択的に、方法はさらに、第１のアクセスネットワークデバイスが、メッセージを第２のアクセスネットワークデバイスへ送信する段階（不図示）を備えてよく、メッセージは、第２のアクセスネットワークデバイスに、切り替えが完了されており、端末デバイスとの接続が解放されてよいことを示すために用いられる。メッセージは、更新メッセージの前に送信されてよく、または、更新メッセージの後に送信されてよく、同様の機能が代わりに、更新メッセージに保持されている情報を用いることによって完了され得る。
【００６５】
３４１．端末デバイスが、更新メッセージに基づいて、ローカルキーを更新する、および／または非アクセス層ＮＡＳタイプを変更する。図３の解決手段を参照されたい。
【００６６】
任意選択的に、３３１．アクセスネットワークデバイスが、肯定応答メッセージを第１のコアネットワークデバイスへ送信し、ここで、肯定応答メッセージは、アクセスネットワークデバイスおよび端末デバイスが切り替えを完了していることを示すために用いられる。
【００６７】
任意選択的に、３３２．第１のコアネットワークデバイスは、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【００６８】
方法はさらに、段階３３１および３３２の代わりとして、段階３３１'を備えてよい：アクセスネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【００６９】
任意選択的に、第２のコアネットワークデバイスは、端末と第２のコアネットワークデバイスとの間の接続を解放する（不図示）。
【００７０】
第２のコアネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【００７１】
端末デバイスに対して、最初には従来のセル間ハンドオーバのみが開始される。具体的には、第２のアクセスネットワークデバイスから第１のアクセスネットワークデバイスへのハンドオーバが実行される。しかしながら、第１のアクセスネットワークデバイスが、第２のコアネットワークデバイスへのアクセスに加えて、第１のコアネットワークデバイスへアクセスするので、第２のコアネットワークデバイスはさらに、従来のセル間ハンドオーバに基づき、第２のコアネットワークデバイスから第１のコアネットワークデバイスへのハンドオーバをトリガし、これにより、異なるサービス品質が提供される。例えば、ＵＥはもともと、５Ｇネットワークのみにおいてセル間ハンドオーバを実行する。ターゲット基地局がｅ−ｅＮＢであり、基地局が４Ｇネットワークにもアクセスし得るので、５Ｇのコアネットワークデバイスがさらに、ＵＥを４Ｇネットワークへハンドオーバし、対応するコアネットワークデバイスも４ＧのＥＰＣとなる。５Ｇネットワークを確立する初期段階において、５Ｇのサービス能力が不十分しているので、ＵＥは、前述の解決手段を用いることによってより迅速に４Ｇネットワークへハンドオーバされることができ、これにより、ハンドオーバ要求が満たされることが分かる。
【００７２】
前述の方法を用いる通信システム、第２のコアネットワークデバイス、第１のコアネットワークデバイス、第１のアクセスネットワークデバイス、端末デバイス、および第２のアクセスネットワークデバイスは別々に開示され、同様の利点を有する。図５、図５−１、図５−２、図５−３、図５−４、および図５−５を参照されたい。
【００７３】
さらに別の態様によれば、本発明の実施形態は、コンピュータ可読記憶媒体を提供し、ここで、コンピュータ可読記憶媒体は、前述の通信デバイスにより用いられる方法を実行するために用いられる指示を記憶し、指示は、前述の態様を実行するために設計されたプログラムを含む。通信デバイスは、コアネットワークデバイス、アクセスネットワークデバイス、または端末デバイスであってよい。
【００７４】
さらに別の態様によれば、本発明の実施形態は、通信デバイスを提供し、ここで、通信デバイスは、メモリおよびプロセッサを備え、メモリは、前述の態様におけるコンピュータ可読記憶媒体を含み、プロセッサは、通信デバイスにより用いられる方法を実行するために用いられ、コンピュータ可読記憶媒体に記憶されている指示を実行するよう構成される。通信デバイスは、コアネットワークデバイス、アクセスネットワークデバイス、または端末デバイスであってよい。
【００７５】
さらに別の態様によれば、本発明の実施形態は、通信システムを提供し、ここで、システムは、前述の態様におけるコアネットワークデバイス、アクセスネットワークデバイス、および端末デバイスを備える。
【００７６】
本発明の実施形態に提供されている技術的解決手段によれば、新たなハンドオーバ解決手段が提供され得る。システムにおいて、第１のコアネットワークデバイスおよび第２のコアネットワークデバイスは、同じアクセスネットワークデバイスを用いることによって端末デバイスと通信を行う。
【図面の簡単な説明】
【００７７】
【図１】２つの既存の通信システムの概略図である。
【００７８】
【図２】本発明の実施形態に係る通信システムの概略図である。
【００７９】
【図３】本発明の実施形態に係るハンドオーバ方法の概略フローチャートである。
【００８０】
【図３−１】本発明の実施形態に係る第２のコアネットワークデバイスの概略図である。
【００８１】
【図３−２】本発明の実施形態に係る第１のコアネットワークデバイスの概略図である。
【００８２】
【図３−３】本発明の実施形態に係るアクセスネットワークデバイスの概略図である。
【００８３】
【図３−４】本発明の実施形態に係る端末デバイスの概略図である。
【００８４】
【図４】本発明の実施形態に係るハンドオーバ方法の概略フローチャートである。
【００８５】
【図４−１】本発明の実施形態に係る第２のコアネットワークデバイスの概略図である。
【００８６】
【図４−２】本発明の実施形態に係る第１のコアネットワークデバイスの概略図である。
【００８７】
【図４−３】本発明の実施形態に係るアクセスネットワークデバイスの概略図である。
【００８８】
【図４−４】本発明の実施形態に係る端末デバイスの概略図である。
【００８９】
【図５】本発明の実施形態に係るハンドオーバ方法の概略フローチャートである。
【００９０】
【図５−１】本発明の実施形態に係る第２のコアネットワークデバイスの概略図である。
【００９１】
【図５−２】本発明の実施形態に係る第１のコアネットワークデバイスの概略図である。
【００９２】
【図５−３】本発明の実施形態に係る第１のアクセスネットワークデバイスの概略図である。
【００９３】
【図５−４】本発明の実施形態に係る端末デバイスの概略図である。
【００９４】
【図５−５】本発明の実施形態に係る第２のアクセスネットワークデバイスの概略図である。
【００９５】
【図６】本願発明の実施形態に係る通信デバイスの概略図である。
【００９６】
【図７】本願発明の実施形態に係る通信デバイスの概略図である。
【発明を実施するための形態】
【００９７】
本発明の実施形態は、図２に示されている通信システムに基づき、解決手段を提供する。図２に示されているように、本発明の実施形態は、通信システムを提供する。通信システムは、（ｅ−ｅＮＢなどの）アクセスネットワークデバイス２０３と、（ＥＰＣなどの）第１のコアネットワークデバイス２０１と、（ＮｅｘｔＧｅｎコアなどの）第２のコアネットワークデバイス２０２とを備える。対応するインタフェースは、Ｓ１インタフェースまたはＮＧ１インタフェースであってよい。
【００９８】
本発明の実施形態における技術的解決手段は、データ処理のために、例えば、符号分割多重アクセス（ＣＤＭＡ）システム、時分割多元接続（ＴＤＭＡ）システム、周波数多重アクセス（ＦＤＭＡ）システム、直交周波数分割多元接続（ＯＦＤＭＡ）システム、シングルキャリア周波数多重アクセス（ＳＣ−ＦＤＭＡ）システム、および別のシステムのような様々な通信システムに適用され得る。「システム」および「ネットワーク」という用語は、相互に互換可能である。ユニバーサル地上無線アクセス（ＵＴＲＡ）およびＣＤＭＡ２０００などの無線技術は、ＣＤＭＡシステムにおいて実行され得る。ＵＴＲＡは、広帯域ＣＤＭＡ（ＷＣＤＭＡ（登録商標））技術、およびＣＤＭＡから転換された別の技術を含んでよい。ＣＤＭＡ２０００は、暫定標準規格（ＩＳ）２０００（ＩＳ−２０００）、ＩＳ−９５標準規格、およびＩＳ−８５６標準規格をカバーし得る。グローバルシステムフォーモバイルコミュニケーションズ（ＧＳＭ（登録商標））などの無線技術は、ＴＤＭＡシステムにおいて実行され得る。進化型ユニバーサル地上無線アクセス（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭａｘ）、ＩＥＥＥ８０２．２０、およびフラッシュＯＦＤＭＡなどの無線技術は、ＯＦＤＭＡシステムにおいて実行され得る。ＵＴＲＡは、ＵＭＴに対応し、Ｅ−ＵＴＲＡは、ＵＭＴの進化型バージョンに対応する。新たなバージョンのＵＭＴ、すなわち、Ｅ−ＵＴＲＡは、３ＧＰＰロングタームエボリューション（ＬＴＥ）、およびＬＴＥに基づいて進化した様々なバージョンにおいて用いられる。第５世代（５Ｇ）通信システムおよび新無線（ＮＲ）は、研究中の次世代通信システムである。加えて、通信システム２００はさらに、本発明の実施形態において提供されている技術的解決手段が適用可能な未来向けの通信技術に適用可能である。本発明の実施形態において説明されているシステムアーキテクチャおよびサービスシナリオは、本発明の実施形態における技術的解決手段をより明白に説明することを目的としているが、本発明の実施形態において提供されている技術的解決手段を限定することを意図するものではない。当業者は、ネットワークアーキテクチャが進化し、新たなサービスシナリオが浮上すると、本発明の実施形態において提供されている技術的解決手段はさらに、同様の技術問題に適用可能であることを知り得る。
【００９９】
ユーザ機器（ＵＥ）、モバイル端末（ＭＴ）、モバイルユーザ機器、または同様のものとも称される端末デバイスは、無線アクセスネットワーク（例えば、Ｒａｄｉｏ  Ａｃｃｅｓｓ  Ｎｅｔｗｏｒｋ，ＲＡＮ）を介して１つまたは複数のコアネットワークと通信を行い得る。ユーザ機器は、携帯電話（または「セルラ」電話と称される）、またはモバイル端末を有するコンピュータなどのモバイル端末デバイスであってよい。例えば、ユーザ機器は、ポータブル型、ポケットサイズの、ハンドヘルド型、コンピュータ内蔵型、または車載移動装置であってよい。
【０１００】
アクセスネットワークデバイスは、端末デバイスに無線通信機能を提供するための無線アクセスネットワークにおいて配置される装置であってよい。アクセスネットワークデバイスは、マクロ基地局、マイクロ基地局（スモールセルとも称される）、中継ノード、アクセスポイント、およびさまざまな形態の同様のものを含んでよく、ネットワークコントローラなどのさまざまな形態の制御ノードも含み得る。制御ノードは、複数の基地局に接続され、複数の基地局のカバレージに含まれる複数の端末デバイスのためのリソースを構成し得る。異なる無線接続技術を用いるシステムにおいて、アクセスネットワークデバイスの機能を有するデバイスは、異なる名前を有してよく、例えば、２Ｇにおける基地局および基地局コントローラに対応してよく、または、３Ｇにおける基地局およびＲＮＣ、もしくはＬＴＥにおけるｅＮＢもしくはｅＮｏｄｅＢに対応し、または、５Ｇにおける基地局（現在、正式名称が存在せず、例えば、Ｇ−ＮＢまたはＮＸ−ＮＢ）もしくはＮＲ、または送受信ポイント（ＴＲＰ）であってよい。このことは、本発明において限定されない。
【０１０１】
コアネットワークデバイスは、アクセスネットワークデバイスの後にネットワークにおいて用いられるデバイスであってよく、通常、アクセスネットワークデバイスに接続されており、機能に基づき、複数のコアネットワークデバイスが存在し得る。異なる無線接続技術を用いるシステムにおいて、コアネットワークデバイスの機能を有するデバイスは、異なる名前を有してよく、例えば、ＬＴＥにおけるＭＭＥまたはＳ−ＧＷに対応し、または３ＧにおけるＳＧＳＮ／ＧＧＳＮに対応してよく、ＮＧ−Ｃｏｒｅなど、５Ｇにおいて正式名称を有さない。
【０１０２】
［第１の実施形態］
【０１０３】
本発明の実施形態は、ハンドオーバ方法を提供する。方法は、図３に示されている通信システムに適用される。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって端末デバイスと通信を行う。さらに、第１のコアネットワークデバイスおよび第２のコアネットワークデバイスは、異なるコアネットワーク技術を用いてよい。例えば、第１のコアネットワークデバイスは、ＬＴＥコアネットワーク技術を用いてよく、第２のコアネットワークデバイスは、５Ｇコアネットワーク技術を用いてよい。他の例について、第１のコアネットワークデバイスは、５Ｇコアネットワーク技術を用いてよく、第２のコアネットワークデバイスは、ＬＴＥコアネットワーク技術を用いてよい。
【０１０４】
図３に示されているように、方法は、以下の段階を備える。
【０１０５】
３１１．端末デバイスが、第２のコアネットワークデバイスとの接続を確立する。端末デバイスは、既知の方式において第２のコアネットワークデバイスとの接続を確立し得る。通常、端末デバイスは、アクセスネットワークデバイスを用いることによって第２のコアネットワークデバイスとの接続を確立する。しかしながら、接続は別の方式において確立され得ることを、当業者は理解し得る。例えば、端末デバイスは、メッセージを第２のコアネットワークデバイスへ直接送信する。
【０１０６】
３１２．アクセスネットワークデバイスは、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。第１のコアネットワークデバイスのルート識別子についての情報は、第２のコアネットワークデバイスにより第１のコアネットワークデバイスへ送信される予定のメッセージのルートを示すために用いられる。例えば、第１のコアネットワークデバイスのルート識別子についての情報は、トラッキングエリアコードＴＡＣを含む情報であってよい。第１のコアネットワークにおけるアクセスネットワークデバイスの識別子についての情報は、アクセスネットワークデバイスが第１のコアネットワークデバイスと通信を行うときのアクセスネットワークデバイスの識別子についての情報であってよい。識別子についての情報は、識別子であってよく、または、インデックスまたは他の情報であってよいことが、理解され得る。第１のコアネットワークデバイスのルート識別子についての情報および第１のコアネットワークにおけるアクセスネットワークデバイスの識別子についての情報は、第２のコアネットワークデバイスにより用いられることができる情報であり、必ずしも第１のメッセージを用いることによって送信される必要がないことが注意されるべきである。第２のコアネットワークデバイスは、別の方式において、例えば、合意によって、２つの情報のうち１つを取得し得るとき、第１のメッセージは、第２のコアネットワークデバイスに知られることができる当該情報を含まない場合があることが、理解され得る。当然ながら、第１のメッセージは代わりに、第１のコアネットワークデバイスのルート識別子についての情報、および第１のコアネットワークにおけるアクセスネットワークデバイスの識別子についての情報を含んでよい。第１のコアネットワークデバイスおよび第２のコアネットワークデバイスが同じアクセスネットワークデバイスを用いることによって端末デバイスと通信を行うので、アクセスネットワークデバイスは、第１のコアネットワークデバイスの関連情報、すなわち、第１のメッセージに含まれ得る情報を知ることが理解され得る。
【０１０７】
３１３．第２のコアネットワークデバイスは、能力メッセージを受信し、ここで、能力メッセージは、端末デバイスが第１のコアネットワークデバイスとの接続を確立することを端末デバイスがサポートすることを示すために用いられる。能力メッセージは、端末デバイスにより第２のコアネットワークデバイスへ送信されてよく、または、アクセスネットワークデバイスにより第２のコアネットワークデバイスへ送信されてよいことが理解され得る。例えば、能力メッセージは、非アクセス層ＮＡＳメッセージであってよい。
【０１０８】
３２１．第２のコアネットワークデバイスは、端末デバイスと第２のコアネットワークデバイスとの間の接続が、端末デバイスと第１のコアネットワークデバイスとの間の接続に切り替えられる必要があると決定する。さらに、第２のコアネットワークデバイスは、第２のコアネットワークデバイスの条件に基づき、切り替えが必要とされていると決定し得る。例えば、第２のコアネットワークデバイスの負荷状態に基づき、これ以上サービスを受け入れることができない。例えば、条件は、閾値を超過している。代わりに、切り替えは、イベント、例えば、別のネットワーク要素により送信されたメッセージが受信されるというイベントに基づき、トリガされ得る。
【０１０９】
３２３．第２のコアネットワークデバイスは、変更メッセージを第１のコアネットワークデバイスへ送信し、ここで、変更メッセージは、端末デバイスと第２のコアネットワークデバイスとの間の接続が、端末デバイスと第１のコアネットワークデバイスとの間の接続に切り替えられる必要があることを第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。第２のコアネットワークデバイスが端末デバイスとの接続を確立したので、第２のコアネットワークデバイスは、端末デバイスの第１の鍵を記憶している。第２のコアネットワークデバイスは、第１のコアネットワークデバイスのルート識別子についての情報に基づき、変更メッセージを送信するためのルートを第１のコアネットワークデバイスへ取得し得る。さらに、第２のコアネットワークデバイスは、メッセージを生成した後に変更メッセージを送信する。第２のコアネットワークインターフェース上の端末デバイスの識別子についての情報は、どの端末デバイスを処理する必要があることを示すために用いられ得る。第２のコアネットワークインターフェース上の端末デバイスの識別子は、アクセスネットワークデバイスが第２のコアネットワークデバイスと通信を行うインタフェース上の端末デバイスを識別するために用いられる識別子を含み、例えば、Ｓ１  ＡＰ  ＵＥ  ＩＤであってよい。
【０１１０】
第２のコアネットワークデバイスは、変更メッセージを用いることによって、切り替えが必要とされることを、別のネットワーク要素へ通知し、その後の手順をトリガし得る。
【０１１１】
３２５．第１のコアネットワークデバイスが、変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵および／または第２のコアネットワークインターフェース上の端末デバイスの識別子についての情報を含み、第２の鍵は、第１の鍵に基づいて取得される。
【０１１２】
変更メッセージを受信した後に、第１のコアネットワークデバイスは、第１のコアネットワークデバイスが端末デバイスとの接続を確立するタスクを受け入れる予定であることを知り得て、それに対応して、第１のコアネットワークデバイスは、リソースを準備して、端末デバイスとの通信を確立するために準備する。第１のコアネットワークデバイスがタスクを受け入れることができないと第１のコアネットワークデバイスが決定した場合、第１のコアネットワークデバイスは、拒否メッセージを第２のコアネットワークデバイスへフィードバックしてよく（不図示）、そして、第２のコアネットワークデバイスは、拒否メッセージに基づき、別のコアネットワークデバイスまたは別の処理方式を検索する（不図示）。
【０１１３】
第１の鍵は、端末デバイスと第２のコアネットワークデバイスとの間の通信のために用いられ、第２のコアネットワーク技術に適合される鍵である。第１のコアネットワークデバイスは、第１のコアネットワークデバイスのコアネットワーク技術を用いることによって、端末デバイスの第１の鍵に基づき、第１のコアネットワークにおける端末デバイスの適合される第２の鍵を推定する。
【０１１４】
３２７．第１のコアネットワークデバイスは、変更指示メッセージをアクセスネットワークデバイスへ送信する。さらに、第１のコアネットワークデバイスは、第１のコアネットワークにおけるアクセスネットワークデバイスの識別子についての情報に基づき、変更指示メッセージをアクセスネットワークデバイスへ送信し得る。
【０１１５】
３２８．アクセスネットワークデバイスは、更新メッセージを生成し、ここで、更新メッセージは、端末デバイスに、更新を実行するよう指示するために用いられ、任意選択的に、更新メッセージは、端末デバイスに、ＮＡＳタイプを更新し、および／または端末デバイスの鍵を更新するよう指示するために用いられる。端末デバイスの更新済み鍵は、端末デバイス上に記憶されているローカルキーに基づいて、取得される。任意選択的に、新規キーは、第１のコアネットワークデバイスの推定方法と同じ推定方法を用いることによってローカルキーから推定される。
【０１１６】
アクセスネットワークデバイスは、第２のコアネットワークインターフェース上の端末デバイスの識別子についての情報に基づき、鍵を更新する必要がある端末デバイスを知り得る。アクセスネットワークデバイスは、端末デバイスと通信を行うとき、第２の鍵を用いるように、第２の鍵を受信してローカルに記憶する。
【０１１７】
３２９．アクセスネットワークデバイスは、更新メッセージを端末デバイスへ通知する。
【０１１８】
３４１．端末デバイスは、更新メッセージに基づき、ローカルキーを更新し、および／または非アクセス層ＮＡＳタイプを変更する。ＮＡＳタイプを更新することは、第２のコアネットワークデバイスと通信を行うために用いられるＮＡＳタイプを、第１のコアネットワークデバイスと通信を行うために用いられるＮＡＳタイプに更新することを含み、端末デバイスの鍵を更新することは、第２のコアネットワークデバイスと通信を行うために用いられる第１の鍵を、第１のコアネットワークデバイスと通信を行うために用いられる第２の鍵に更新することを含む。さらに、端末デバイスのローカルキーは、第２のコアネットワークデバイスと通信を行うために用いられ、鍵は今更新される必要がある。具体的には、端末デバイスのローカルキーと、第２のコアネットワークデバイス上の端末デバイスの第１の鍵との間のマッピング関係が存在する。マッピング関係は、第１の鍵が第２の鍵と同じであってよく、または、第１の鍵は、演算によって取得されてよい。第１のコアネットワークデバイスがネットワーク側の第１の鍵を、第１のコアネットワークデバイスの要求を満たす第２の鍵に更新したので、端末デバイスは、対応する推定方式において新規キーを取得する必要があり、これにより、第１のコアネットワークデバイスと通信を行う要求を満たす。それに対応して、第２のコアネットワークデバイスと通信を行う要求を満たす代わりに、元のＮＡＳタイプも、第１のコアネットワークデバイスと通信を行う要求を満たすために更新される必要がある。例えば、５ＧのＮＡＳタイプは、４ＧのＮＡＳタイプに更新される。
【０１１９】
３３１．アクセスネットワークデバイスが、肯定応答メッセージを第１のコアネットワークデバイスへ送信し、ここで、肯定応答メッセージは、アクセスネットワークデバイスおよび端末デバイスが切り替えを完了していることを示すために用いられる。
【０１２０】
３３２．第１のコアネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０１２１】
方法はさらに、段階３３１および３３２の代わりとして、段階３３１'を含んでよく：アクセスネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０１２２】
さらに、第２のコアネットワークデバイスは、端末と第２のコアネットワークデバイスとの間の接続を解放する（不図示）。
【０１２３】
第２のコアネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【０１２４】
さらに、ネットワーク通信処理において、端末デバイスは、端末デバイスの鍵および用いられる通信プロトコルをタイムリーに更新し、問題なく切り替えを完了する。
【０１２５】
図３のフローチャートにおいて、破線は、段階が任意選択的なものであることを示す。具体的には、段階３１１、３１２、３１３および３１３'のうち１つまたはそれらの組み合わせが省略されてよく、段階３３１、３３２および３３１'のうち１つまたはそれらの組み合わせが省略されてよい。具体的には、第２のコアネットワークデバイスが第１のコアネットワークデバイスのルート識別子についての情報、または第１のコアネットワークにおけるアクセスネットワークデバイスの識別子についての情報を知ったとき、段階３１２は省略されてよく、言い換えれば、第１のメッセージは送信される必要がない。端末デバイスが第１のコアネットワークデバイスとの接続を確立することを端末デバイスがサポートすることを第２のコアネットワークデバイスが知ったとき、段階３１３および３１３'は、省略されてよく、言い換えれば、能力情報が送信される必要がない。第２のコアネットワークデバイスが、例えば、タイムアウトメカニズムのような適切なメカニズムを有するとき、端末デバイスと第２のコアネットワークデバイスとの間の接続を解放するように、段階３３１、３３２および３３１'は省略されてよく、言い換えれば、解放メッセージは、リソースを解放するように送信される必要がない。前述の段階を省略することは、図３の解決手段の技術的効果を影響せず、様々なネットワーク要素の機能を影響しないことが理解され得る。
【０１２６】
図３の様々なネットワーク要素に対して、以下の異なる方法が取得され得る。以下の方法は、図３の方法と一致し、同じ部分に関して、詳細は再び説明されない。図３の方法の段階および関連説明は、以下の方法に対して参照を提供し得て、以下の方法と同様の利点を有する。説明の簡潔さのため、詳細は再び説明されない。以下の方法において、第１のコアネットワークデバイスおよび第２のコアネットワークデバイスは、同じアクセスネットワークデバイスを用いることによって端末デバイスと通信を行うことが理解され得る。
【０１２７】
ハンドオーバ方法が第２のコアネットワークデバイスにより用いられ、以下の段階を含む。
【０１２８】
３２１．第２のコアネットワークデバイスは、端末デバイスと第２のコアネットワークデバイスとの間の接続が、端末デバイスと第１のコアネットワークデバイスとの間の接続に切り替えられる必要があると決定する。
【０１２９】
３２３．第２のコアネットワークデバイスが、変更メッセージを第１のコアネットワークデバイスへ送信し、ここで、変更メッセージは、端末デバイスと第２のコアネットワークデバイスとの間の接続が端末デバイスと第１のコアネットワークデバイスとの間の接続に切り替えられる必要があることを、第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。
【０１３０】
第２のコアネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０１３１】
さらに、ハンドオーバ方法はさらに、以下の段階を備える：３１１．端末デバイスが第２のコアネットワークデバイスとの接続を確立する。
【０１３２】
さらに、ハンドオーバ方法はさらに、第２のコアネットワークデバイスが、第１のメッセージを受信する段階であって、第１のメッセージは、第１のコアネットワークデバイスのルート識別子についての情報、または第１のコアネットワークにおけるアクセスネットワークデバイスの識別子についての情報を含む、段階と、および／または、第２のコアネットワークデバイスが、能力メッセージを受信する段階であって、能力メッセージは、端末デバイスが第１のコアネットワークデバイスとの接続を確立することを端末デバイスがサポートすることを示すために用いられる、段階とを備える。
【０１３３】
第２のコアネットワークデバイスは、第１のメッセージまたは能力メッセージを用いることによってハンドオーバ手順において必要とされる情報を知り得て、ハンドオーバ手順のために十分に準備する。
【０１３４】
さらに、ハンドオーバ方法はさらに、第２のコアネットワークデバイスが、解放メッセージを受信する段階であって、解放メッセージは第２のコアネットワークデバイスに、端末デバイスと第２のコアネットワークデバイスとの間の接続を解放するよう指示するために用いられる、段階とを備える。
【０１３５】
さらに、ハンドオーバ方法はさらに、第２のコアネットワークデバイスが、端末デバイスと第２のコアネットワークデバイスとの間の接続を解放する段階を備える。
【０１３６】
第２のコアネットワークデバイスは、前述の解放手順を用いることによってリソース解放を完了し得て、リソースを節約する。
【０１３７】
ハンドオーバ方法が、第１のコアネットワークデバイスにより用いられ、第１のコアネットワークデバイスが変更メッセージを受信する段階であって、変更メッセージは第１のコアネットワークデバイスに、端末デバイスと第２のコアネットワークデバイスとの間の接続が、端末デバイスと第１のコアネットワークデバイスとの間接続切り替えられることが必要であることを通知するために用いられる、段階、を備える。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容をのうち少なくとも１つまたはそれらの組み合わせを含む。
【０１３８】
３２５．第１のコアネットワークデバイスが、変更指示メッセージを生成し、ここで、変更指示メッセージは、アクセスネットワークデバイスに、端末デバイスに更新を実行するよう指示するよう指示するために用いられる。変更指示メッセージは、端末デバイスの第２の鍵、および／または第２のコアネットワークインターフェース上の端末デバイスの識別子についての情報を含んでよく、第２の鍵は、第１の鍵に基づいて取得される。
【０１３９】
３２７．第１のコアネットワークデバイスは、変更指示メッセージをアクセスネットワークデバイスへ送信する。
【０１４０】
第１のコアネットワークデバイスは、変更メッセージを受信することによって、第１のコアネットワークデバイスが、端末デバイスに接続する必要があることを知り得て、第１のコアネットワークデバイスは、変更指示メッセージを用いることによって、ネットワークの要求を満たすように、第１のコアネットワークデバイスおよび第２のコアネットワークデバイスが切り替えのために十分に準備することを、別のネットワーク要素へ通知してよいことを知り得る。ネットワークにおいて、第１のコアネットワークデバイスおよび第２のコアネットワークデバイスは、同じアクセスネットワークデバイスを用いることによって端末デバイスと通信を行う。
【０１４１】
さらに、ハンドオーバ方法はさらに、第１のコアネットワークデバイスが肯定応答メッセージを受信する段階であって、肯定応答メッセージはアクセスネットワークデバイスおよび端末デバイスが切り替えを完了していることを示すために用いられる、段階を備える。
【０１４２】
３３２．第１のコアネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０１４３】
前述の解放手順に基づき、第１のコアネットワークデバイスは、第２のコアネットワークデバイスがリソース解放を完了するのに役に立ち得て、リソースを節約する。
【０１４４】
ハンドオーバ方法がアクセスネットワークデバイスにより用いられ、アクセスネットワークデバイスが、変更指示メッセージを受信する段階であって、変更指示メッセージは、アクセスネットワークデバイスに、端末デバイスに更新を実行するよう指示するよう指示するために用いられる、段階を備える。任意選択的に、変更指示メッセージは、端末デバイスの第２の鍵、および／または第２のコアネットワークインターフェース上の端末デバイスの識別子についての情報を含む。
【０１４５】
３２８．アクセスネットワークデバイスが、更新メッセージを生成し、ここで、更新メッセージは、端末デバイスに更新を実行するよう指示するために用いられる。任意選択的に、更新メッセージは、端末デバイスに、ＮＡＳタイプを更新する、および／または端末デバイスの鍵を更新するよう指示するために用いられる。
【０１４６】
３２９．アクセスネットワークデバイスが、更新メッセージを端末デバイスへ通知する。
【０１４７】
アクセスネットワークデバイスは、変更指示メッセージを受信することによって、第２のコアネットワークデバイスおよび第１のコアネットワークデバイスが切り替えのために十分に準備していることを知り得る。アクセスネットワークデバイスは、ネットワークの要求を満たすように、更新メッセージを生成して送信することによって、端末側で更新手順を開始してよい。ネットワークにおいて、第１のコアネットワークデバイスおよび第２のコアネットワークデバイスは、同じアクセスネットワークデバイスを用いることによって端末デバイスと通信を行う。
【０１４８】
さらに、ハンドオーバ方法はさらに、アクセスネットワークデバイスが、第１のメッセージを送信する段階であって、第１のメッセージは、第１のコアネットワークデバイスのルート識別子についての情報、または第１のコアネットワークにおけるアクセスネットワークデバイスの識別子についての情報を含む、段階を備える。
【０１４９】
アクセスネットワークデバイスは、第１のメッセージを用いることによって、ハンドオーバ手順において必要とされる情報を別のネットワーク要素へ通知し得て、ハンドオーバ手順のために十分に準備する。
【０１５０】
さらに、ハンドオーバ方法はさらに、以下の段階を備える。
【０１５１】
３３１．アクセスネットワークデバイスが肯定応答メッセージを第１のコアネットワークデバイスへ送信し、ここで、肯定応答メッセージは、アクセスネットワークデバイスおよび端末デバイスが切り替えを完了することを示すために用いられる。
【０１５２】
さらに、ハンドオーバ方法はさらに、以下の段階を含む。
【０１５３】
３３１'．アクセスネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０１５４】
前述の解放手順に基づき、アクセスネットワークデバイスは、第２のコアネットワークデバイスがリソース解放を完了するのに役に立ち得て、リソースを節約する。
【０１５５】
ハンドオーバ方法が端末デバイスにより用いられ、端末デバイスが、更新メッセージを受信する段階であって、更新メッセージは端末デバイスに、更新を実行するよう指示するために用いられ、任意選択的に、更新メッセージは、端末デバイスに、ＮＡＳタイプを更新し、および／または端末デバイスの鍵を更新するよう指示するために用いられる、段階と、端末デバイスが、ＮＡＳタイプを更新し、および／または端末の鍵を更新する段階とを備える。
【０１５６】
ＮＡＳタイプを更新段階は、第２のコアネットワークデバイスと通信を行うために用いられるＮＡＳタイプを、第１のコアネットワークデバイスと通信を行うために用いられるＮＡＳタイプに更新する段階を含み、端末デバイスの鍵を更新する段階は、第２のコアネットワークデバイスと通信を行うために用いられる第１の鍵を、第１のコアネットワークデバイスと通信を行うために用いられる第２の鍵に更新する段階を含む。
【０１５７】
端末デバイスは、更新メッセージを用いて対応する更新動作を完了することによって、第２のコアネットワークデバイスから第１のコアネットワークデバイスへのハンドオーバを完了し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０１５８】
さらに、ハンドオーバ方法はさらに、端末デバイスが、能力メッセージを送信する段階であって、能力メッセージは、端末デバイスが第１のコアネットワークデバイスとの接続を確立することを端末デバイスがサポートすることを示すために用いられる、段階を備える。
【０１５９】
端末デバイスは、切り替えのために十分に準備するように、能力情報を用いることによって、端末デバイスが第１のコアネットワークデバイスとの通信をサポートし得ることを、別のネットワーク要素へ通知する。
【０１６０】
本発明の実施形態は、通信システムを提供する。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって、端末デバイスと通信を行う。システムは、図３に示されているハンドオーバ方法を用いてよい。さらに、第１のコアネットワークデバイスおよび第２のコアネットワークデバイスは、異なるコアネットワーク技術を用いてよい。例えば、第１のコアネットワークデバイスは、ＬＴＥコアネットワーク技術規格を用いるコアネットワークデバイスであってよく、第２のコアネットワークデバイスは、５Ｇコアネットワーク技術規格を用いるコアネットワークデバイスであってよい。
【０１６１】
以下のデバイスは、図３において説明されている方法の段階に関連し得る。したがって、図３における方法の段階および関連説明は、以下のデバイスに対して参照を提供し得て、同様の利点を有する。説明の簡潔さのため、詳細は再び説明されない。以下の実施形態において、第１のコアネットワークデバイスおよび第２のコアネットワークデバイスは、同じアクセスネットワークデバイスを用いることによって端末デバイスと通信を行うことが理解し得る。
【０１６２】
図３−１に示されているように、第２のコアネットワークデバイス３９０は、端末デバイスと第２のコアネットワークデバイスとの間の接続が端末デバイスと第１のコアネットワークデバイスとの間の接続に切り替えられる必要があると決定するよう構成される処理ユニット３９０１であって、第１のコアネットワークデバイスおよび第２のコアネットワークデバイスは同じアクセスネットワークデバイスを用いることによって端末デバイスと通信を行う、処理ユニット３９０１と、変更メッセージを第１のコアネットワークデバイスへ送信するよう構成される送受信ユニット３９０２であって、変更メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられる、送受信ユニット３９０２とを含む。
【０１６３】
任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。
【０１６４】
第２のコアネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０１６５】
さらに、第２のコアネットワークデバイスにおいて、端末デバイスは、第２のコアネットワークデバイスとの接続を確立する。
【０１６６】
さらに、第２のコアネットワークデバイスにおいて、送受信ユニットは、第１のメッセージを受信するよう構成され、っこで、第１のメッセージは、第１のコアネットワークデバイスのルート識別子についての情報、または第１のコアネットワークにおけるアクセスネットワークデバイスの識別子についての情報を含み、および／または、送受信ユニットは、能力メッセージを受信するよう構成され、ここで、能力メッセージは、端末デバイスが第１のコアネットワークデバイスとの接続を確立することを端末デバイスがサポートすることを示すために用いられる。
【０１６７】
第２のコアネットワークデバイスは、ハンドオーバ手順のために十分に準備するように、第１のメッセージまたは能力メッセージを用いることによって、ハンドオーバ手順において必要とされる情報を知り得る。
【０１６８】
さらに、第２のコアネットワークデバイスにおいて、送受信ユニットは、解放メッセージを受信するよう構成され、ここで、解放メッセージは、第２のコアネットワークデバイスに、端末デバイスと第２のコアネットワークデバイスとの間の接続を解放するよう指示するために用いられる。
【０１６９】
さらに、第２のコアネットワークデバイスにおいて、処理ユニットは、端末デバイスと第２のコアネットワークデバイスとの間の接続を解放するよう構成される。
【０１７０】
第２のコアネットワークデバイスは、前述の解放手順を用いることによって、リソース解放を完了し得て、リソースを節約する。
【０１７１】
図３−２に示されているように、第１のコアネットワークデバイス３８０は、変更メッセージを受信するよう構成される送受信ユニット３８０２であって、変更メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられ、第１のコアネットワークデバイスおよび第２のコアネットワークデバイスは、同じアクセスネットワークデバイスを用いることによって端末デバイスと通信を行い、任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む、送受信ユニット３８０２と、変更指示メッセージを生成するよう構成される処理ユニット３８０１であって、変更指示メッセージは、アクセスネットワークデバイスに、端末デバイスに更新を実行するよう指示するよう指示するために用いられ、任意選択的に、変更指示メッセージが端末デバイスの第２の鍵、および／または第２のコアネットワークインターフェース上の端末デバイスの識別子についての情報を含み、第２の鍵は、第１の鍵に基づいて取得される、処理ユニット３８０１とを含む。
【０１７２】
送受信ユニット３８０２はさらに、変更指示メッセージをアクセスネットワークデバイスへ送信するよう構成される。
【０１７３】
第１のコアネットワークデバイスは、変更メッセージを受信することによって、第１のコアネットワークデバイスが、端末デバイスに接続することが必要であることを知り得て、第１のコアネットワークデバイスは、ネットワークの要求を満たすように、変更指示メッセージを用いることによって、第１のコアネットワークデバイスおよび第２のコアネットワークデバイスが切り替えのために十分に準備することを、別のネットワーク要素へ通知し得る。ネットワークにおいて、第１のコアネットワークデバイスおよび第２のコアネットワークデバイスは、同じアクセスネットワークデバイスを用いることによって端末デバイスと通信を行う。
【０１７４】
さらに、第１のコアネットワークデバイスにおいて、送受信ユニットは、肯定応答メッセージを受信するよう構成され、ここで、肯定応答メッセージは、アクセスネットワークデバイスおよび端末デバイスが切り替えを完了していることを示すために用いられ。送受信ユニットは、解放メッセージを第２のコアネットワークデバイスへ送信するよう構成され、ここで、解放メッセージは、第２のコアネットワークデバイスに、端末デバイスと第２のコアネットワークデバイスとの間の接続を解放するよう指示するために用いられる。
【０１７５】
前述の解放手順に基づき、第１のコアネットワークデバイスは、第２のコアネットワークデバイスがリソース解放を完了するのに役に立ち得て、リソースを節約する。
【０１７６】
図３−３に示されているように、アクセスネットワークデバイス３７０は、変更指示メッセージを受信するよう構成される送受信ユニット３７０２であって、変更指示メッセージは、アクセスネットワークデバイスに、更新を実行するよう端末デバイスに指示するよう指示するために用いられ、第１のコアネットワークデバイスおよび第２のコアネットワークデバイスは、アクセスネットワークデバイスを用いることによって端末デバイスと通信を行い、任意選択的に、変更指示メッセージは、端末デバイスの第２の鍵、および／または第２のコアネットワークインターフェース上の端末デバイスの識別子についての情報を含む、送受信ユニット３７０と、更新メッセージを生成するよう構成される処理ユニット３７０１であって、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる、処理ユニット３７０１とを含む。
【０１７７】
送受信ユニット３７０２はさらに、更新メッセージを端末デバイスへ送信するよう構成される。
【０１７８】
アクセスネットワークデバイスは、変更指示メッセージを受信することによって、第２のコアネットワークデバイスおよび第１のコアネットワークデバイスが切り替えのために十分に準備していることを知り得る。アクセスネットワークデバイスは、ネットワークの要求を満たすように、更新メッセージを生成して送信することによって、端末側で更新手順を開始し得る。ネットワークにおいて、第１のコアネットワークデバイスおよび第２のコアネットワークデバイスは、同じアクセスネットワークデバイスを用いることによって端末デバイスと通信を行う。
【０１７９】
さらに、アクセスネットワークデバイスにおいて、処理ユニット３７０１は、第１のメッセージを生成するよう構成され、ここで、第１のメッセージは、第１のコアネットワークデバイスのルート識別子についての情報、または第１のコアネットワークにおけるアクセスネットワークデバイスの識別子についての情報を含み、送受信ユニット３７０２は、第１のメッセージを送信するよう構成される。
【０１８０】
アクセスネットワークデバイスは、ハンドオーバ手順のために十分に準備するように、第１のメッセージを用いることによって、ハンドオーバ手順において必要とされる情報を、別のネットワーク要素へ通知し得る。
【０１８１】
さらに、アクセスネットワークデバイスにおいて、処理ユニット３７０１は、肯定応答メッセージを生成するよう構成され、ここで、肯定応答メッセージは、アクセスネットワークデバイスおよび端末デバイスが切り替えを完了していることを示すために用いられ、送受信ユニット３７０２は、肯定応答メッセージを第１のコアネットワークデバイスへ送信するよう構成される。
【０１８２】
さらに、アクセスネットワークデバイスにおいて、処理ユニット３７０１は、解放メッセージを生成するよう構成され、ここで、解放メッセージは、第２のコアネットワークデバイスに、端末デバイスと第２のコアネットワークデバイスとの間の接続を解放するよう指示するために用いられ、送受信ユニット３７０２は、解放メッセージを第２のコアネットワークデバイスへ送信するよう構成される。
【０１８３】
前述の解放手順に基づき、アクセスネットワークデバイスは、第２のコアネットワークデバイスがリソース解放を完了するのに役に立ち得て、リソースを節約する。
【０１８４】
図３−４に示されているように、端末デバイスは、更新メッセージを受信するよう構成される送受信ユニット３６０２であって、更新メッセージは、端末デバイスに、ＮＡＳタイプを更新する、および／または端末デバイスの鍵を更新するよう指示するように用いられる、送受信ユニット３６０２と、ＮＡＳタイプを更新し、および／または端末デバイスの鍵を更新するよう構成される処理ユニット３６０１とを含み、ここで、ＮＡＳタイプを更新することは、第２のコアネットワークデバイスと通信を行うために用いられるＮＡＳタイプを、第１のコアネットワークデバイスと通信を行うために用いられるＮＡＳタイプに更新することを含み、端末デバイスの鍵を更新することは、第２のコアネットワークデバイスと通信を行うために用いられる第１の鍵を、第１のコアネットワークデバイスと通信を行うために用いられる第２の鍵に更新することを含み、第１のコアネットワークデバイスおよび第２のコアネットワークデバイスは、同じアクセスネットワークデバイスを用いることによって端末デバイスと通信を行う。
【０１８５】
端末デバイスは、ネットワークの要求を満たすように、更新メッセージを用いて対応する更新動作を完了することによって、第２のコアネットワークデバイスから第１のコアネットワークデバイスへのハンドオーバを完了し得る。ネットワークにおいて、第１のコアネットワークデバイスおよび第２のコアネットワークデバイスは、同じアクセスネットワークデバイスを用いることによって端末デバイスと通信を行う。
【０１８６】
さらに、端末デバイスにおいて、処理ユニットは、能力メッセージを生成するよう構成され、ここで、能力メッセージは、端末デバイスが第１のコアネットワークデバイスとの接続を確立することを端末デバイスがサポートすることを示すために用いられ、送受信ユニットは、能力メッセージを送信するように構成される。
【０１８７】
端末デバイスは、切り替えのために十分に準備するように、能力メッセージを用いることによって、端末デバイスが第１のコアネットワークデバイスとの通信をサポートし得ることを、別のネットワーク要素へ通知する。
【０１８８】
［第２の実施形態］
【０１８９】
本発明の実施形態は、ハンドオーバ方法を提供する。方法は、図４に示されている通信システムに適用される。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって、端末デバイスと通信を行う。第２の実施形態は基本的に、第１の実施形態と同様であることが分かる。相違点が以下の通りである。第１の実施形態において、第２のコアネットワークデバイスは、端末デバイスと第２のコアネットワークデバイスとの間の接続が端末デバイスと第１のコアネットワークデバイスとの間の接続に切り替えられる必要があると決定するが、第２の実施形態において、アクセスネットワークデバイスは、切り替えが必要とされていると決定する。
【０１９０】
アクセスネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【０１９１】
説明の簡潔さのため、同じ参照番号は図４および図３の同じ部分のために用いられる。したがって、詳細は再び説明されない。段階４２１、４２２、４２３および４２４などの異な部分は、詳細に説明される。図３の関連説明は、図４の技術的解決手段を説明するために用いられ得ることが理解され得る。
【０１９２】
図４に示されているように、方法は、以下の段階を含む。
【０１９３】
３１１．端末デバイスが、アクセスネットワークデバイスを用いることによって第２のコアネットワークデバイスとの接続を確立する。
【０１９４】
３１２．アクセスネットワークデバイスが、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。
【０１９５】
４２１．アクセスネットワークデバイスが、端末デバイスと第２のコアネットワークデバイスとの間の接続が、端末デバイスと第１のコアネットワークデバイスとの間の接続に切り替えられる必要があると決定する。さらに、アクセスネットワークデバイスは、アクセスネットワークの条件、または第２のコアネットワークデバイスの状態に基づき、切り替えを開始し得る。例えば、アクセスネットワークデバイスは、第２のコアネットワークデバイスの負荷状態に基づき、これ以上サービスを受け入れることができないと推測する。代わりに、アクセスネットワークデバイスは、第２のコアネットワークデバイスのメッセージを受信し、切り替えが必要とされていることを通知され、この場合、アクセスネットワークデバイスは、切り替えが必要とされていると能動的決定する。アクセスネットワークデバイスは代わりに、切り替えをトリガするように、別のネットワーク要素により送信されるメッセージを受信し得ることが理解され得る。
【０１９６】
４２２．アクセスネットワークデバイスは、変更メッセージを第２のコアネットワークデバイスへ送信し、ここで、変更メッセージは、端末デバイスと第２のコアネットワークデバイスとの間の接続が、端末デバイスと第１のコアネットワークデバイスとの間の接続に切り替えられる必要があることを、第２のコアネットワークデバイスへ通知するために用いられる。任意選択的に、変更メッセージは、第２のコアネットワークインターフェース上の端末デバイスの識別子についての情報を含む。第２のコアネットワークインターフェース上の端末デバイスの識別子は、アクセスネットワークデバイスが第２のコアネットワークデバイスと通信を行うインタフェース上の端末デバイスを識別するために用いられる識別子である。
【０１９７】
任意選択的に、変更メッセージは、第１のコアネットワークデバイスのルート識別子についての情報、および／または第１のコアネットワークにおけるアクセスネットワークデバイスの識別子についての情報を含み得る。２つのタイプの情報は、第２のコアネットワークデバイスにより用いられることが理解され得る。第２のコアネットワークデバイスが別の方式において情報または情報の一部を知った場合、段階３１２または段階４２２を用いることによって既知の情報を送信することが不必要である。第１のコアネットワークデバイスのルート識別子についての情報、および第１のコアネットワークにおけるアクセスネットワークデバイスの識別子についての情報の一方または両方は、段階３１２における第１のメッセージを用いることによって送信され得ることが理解され得る。この場合、段階４２２における変更メッセージは、第１のメッセージを用いることによって送信された情報を含まない場合がある。代わりに、第１のコアネットワークデバイスのルート識別子についての情報、および第１のコアネットワークにおけるアクセスネットワークデバイスの識別子についての情報の一方または両方は、段階４２２における変更メッセージを用いることによって送信され得る。この場合、段階３１２における第１のメッセージは、変更メッセージを用いることによって送信される必要がある情報を含まない場合があり、または、段階３１２でさえ省略される。
【０１９８】
４２３．第２のコアネットワークデバイスが、変更肯定応答メッセージを生成し、ここで、変更肯定応答メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられる。任意選択的に、変更肯定応答メッセージは、端末デバイスの第１の鍵、第１のコアネットワークにおけるアクセスネットワークデバイスの識別子についての情報、および第２のコアネットワークインターフェース上の端末デバイスの識別子についての情報といった３つの項目のうち１つまたはそれらの組み合わせを含む。第２のコアネットワークデバイスは、変更メッセージを受信し、端末デバイスと第２のコアネットワークデバイスとの間の接続が、端末デバイスと第１のコアネットワークデバイスとの間の接続に切り替えられる必要があることを知り、それに対応して、通信リソースを準備する。第１のコアネットワークデバイスが問題なく端末デバイスに接続することを可能にするように、第２のコアネットワークデバイスは、対応する情報を送信する。端末デバイスの第１の鍵、第１のコアネットワークにおけるアクセスネットワークデバイスの識別子についての情報、および第２のコアネットワークインターフェース上の端末デバイスの識別子についての情報は、図３における解決手段のそれらと同様であり、または一致する。詳細は再び説明されない。
【０１９９】
４２４．第２のコアネットワークデバイスが、変更肯定応答メッセージを第１のコアネットワークデバイスへ送信する。
【０２００】
任意選択的に、第２のコアネットワークデバイスは、第１のコアネットワークデバイスのルート識別子についての情報に基づき、第１のコアネットワークデバイスを発見し得る。
【０２０１】
３２５．第１のコアネットワークデバイスは、変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される。
【０２０２】
３２７．第１のコアネットワークデバイスが、変更指示メッセージをアクセスネットワークデバイスへ送信する。
【０２０３】
３２８．アクセスネットワークデバイスが更新メッセージを生成し、ここで、更新メッセージは、端末デバイスに、ＮＡＳタイプを更新し、および／または端末デバイスの鍵を更新するよう指示するために用いられる。端末デバイスの更新済み鍵は、端末デバイス上に記憶されているローカルキーに基づき、取得される。
【０２０４】
３２９．アクセスネットワークデバイスが、更新メッセージを端末デバイスへ通知し、ここで、更新メッセージは、端末デバイスに、更新を実行するよう指示するために用いられ、任意選択的に、更新メッセージは、端末デバイスに、ＮＡＳタイプを更新し、および／または端末デバイスの鍵を更新するよう指示するために用いられる。
【０２０５】
３４１．端末デバイスが、ローカルキーを更新し、および／または更新メッセージに基づき、非アクセス層ＮＡＳタイプを変更する。
【０２０６】
３３１．アクセスネットワークデバイスが肯定応答メッセージを第１のコアネットワークデバイスへ送信し、ここで、肯定応答メッセージは、アクセスネットワークデバイスおよび端末デバイスが切り替えを完了することを示すために用いられる。
【０２０７】
３３２．第１のコアネットワークデバイスが、解放メッセージを第２のコアネットワークデバイスへ送信し、ここで、解放メッセージは、第２のコアネットワークデバイスに、端末デバイスと、第２のコアネットワークデバイスとの間の接続を解放するよう指示するために用いられる。
【０２０８】
方法はさらに、段階３３１および３３２の代わりとして、段階３３１'を備えてよい：アクセスネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０２０９】
さらに、第２のコアネットワークデバイスは、端末デバイスと第２のコアネットワークデバイスとの間の接続を解放する（不図示）。
【０２１０】
アクセスネットワークデバイスにより開始されたハンドオーバ手順に基づき、端末デバイスと第２のコアネットワークデバイスとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【０２１１】
図４のフローチャートにおいて、破線は、段階が任意選択的なものであることを示す。具体的には、段階３１１、３１２、３１３および３１３'のうち１つまたはそれらの組み合わせは、省略されてよく、段階３３１、３３２および３３１'のうち１つまたはそれらの組み合わせは、省略されてよい。
【０２１２】
図４の様々なネットワーク要素に対して、以下の異なる方法が取得され得る。以下の方法は、図４の方法と一致し、同じ部分について、詳細は再び説明されない。図３および図４における方法の段階および関連説明は、以下の方法に対して参照を提供し得て、以下の方法と同様の利点を有する。説明の簡潔さのため、詳細は再び説明されない。以下の方法において第１のコアネットワークデバイスおよび第２のコアネットワークデバイスは、同じアクセスネットワークデバイスを用いることによって端末デバイスと通信を行うことが理解され得る。
【０２１３】
ハンドオーバ方法が、第２のコアネットワークデバイスにより用いられ、第２のコアネットワークデバイスが、変更メッセージを受信する段階であって、変更メッセージは、端末デバイスと第２のコアネットワークデバイスとの間の接続が、端末デバイスと第１のコアネットワークデバイスとの間の接続に切り替えられる必要があることを第２のコアネットワークデバイスへ通知するために用いられる、段階を備える。任意選択的に、変更メッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子である。
【０２１４】
４２３．第２のコアネットワークデバイスが、変更肯定応答メッセージを生成し、ここで、変更肯定応答メッセージは、端末デバイスと第２のコアネットワークデバイスとの間の接続が、端末デバイスと第１のコアネットワークデバイスとの間の接続に切り替えられる必要があることがあることを、第１のコアネットワークデバイスへ通知するために用いられる。任意選択的に、変更肯定応答メッセージは、端末デバイスの第１の鍵、第１のコアネットワークにおけるアクセスネットワークデバイスの識別子についての情報、および第２のコアネットワークインターフェース上の端末デバイスの識別子についての情報といった３つの項目のうち１つまたはそれらの組み合わせを含む。
【０２１５】
４２４．第２のコアネットワークデバイスは、変更肯定応答メッセージを第１のコアネットワークデバイスへ送信する。
【０２１６】
第２のコアネットワークデバイスは、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０２１７】
さらに、ハンドオーバ方法はさらに、以下の段階を備えてよい：３１１．端末デバイスが第２のコアネットワークデバイスとの接続を確立する。
【０２１８】
さらに、ハンドオーバ方法はさらに、第２のコアネットワークデバイスが、第１のメッセージを受信する段階であって、第１のメッセージは、第１のコアネットワークデバイスのルート識別子についての情報、または第１のコアネットワークにおけるアクセスネットワークデバイスの識別子についての情報を含む、段階を備える。
【０２１９】
第２のコアネットワークデバイスは、ハンドオーバ手順のために十分に準備するように、第１のメッセージを用いることによってハンドオーバ手順において必要とされる情報を知り得る。
【０２２０】
さらに、ハンドオーバ方法はさらに、第２のコアネットワークデバイスが、解放メッセージを受信する段階であって、解放メッセージが第２のコアネットワークデバイスに、端末デバイスと第２のコアネットワークデバイスとの間の接続を解放するよう指示するために用いられる、段階を備える。
【０２２１】
さらに、ハンドオーバ方法はさらに、第２のコアネットワークデバイスが、端末デバイスと第２のコアネットワークデバイスとの間の接続を解放する段階を備える。
【０２２２】
第２のコアネットワークデバイスは、前述の解放手順を用いることによってリソース解放を完了し得て、リソースを節約する。
【０２２３】
ハンドオーバ方法が第１のコアネットワークデバイスにより用いられ、第１のコアネットワークデバイスが、変更肯定応答メッセージを受信する段階であって、変更肯定応答メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられる、段階を備える。任意選択的に、変更肯定応答メッセージは、端末デバイスの第１の鍵、第１のコアネットワークにおけるアクセスネットワークデバイスの識別子についての情報、および第２のコアネットワークインターフェース上の端末デバイスの識別子についての情報といった３つの項目のうち１つまたはそれらの組み合わせを含む。
【０２２４】
３２５．第１のコアネットワークデバイスが、変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイス識別子についての情報を含み、第２の鍵は、第１の鍵に基づいて取得される。
【０２２５】
３２７．第１のコアネットワークデバイスが、変更指示メッセージをアクセスネットワークデバイスへ送信する。
【０２２６】
第１のコアネットワークデバイスは、変更肯定応答メッセージを受信することによって、第１のコアネットワークデバイスが端末デバイスと接続する必要があることを知り得て、第１のコアネットワークデバイスは、ネットワークの要求を満たすように、変更指示メッセージを用いることによって、第１のコアネットワークデバイスよび第２のコアネットワークデバイスが切り替えのために十分に準備することを、別のネットワーク要素へ通知し得る。ネットワークにおいて、第１のコアネットワークデバイスおよび第２のコアネットワークデバイスは、同じアクセスネットワークデバイスを用いることによって、端末デバイスと通信を行う。
【０２２７】
さらに、ハンドオーバ方法はさらに、第１のコアネットワークデバイスが、肯定応答メッセージを受信する段階であって、肯定応答メッセージは、アクセスネットワークデバイスおよび端末デバイスが切り替えを完了していることを示すために用いられる、段階を備える。
【０２２８】
３３２．第１のコアネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０２２９】
前述の解放手順に基づき、第１のコアネットワークデバイスは、第２のコアネットワークデバイスがリソース解放を完了するのに役に立ち得て、リソースを節約する。
【０２３０】
ハンドオーバ方法が、アクセスネットワークデバイスにより用いられ、以下の段階を備える。
【０２３１】
４２１．アクセスネットワークデバイスが、端末デバイスと第２のコアネットワークデバイスとの間の接続が、端末デバイスと第１のコアネットワークデバイスとの間の接続に切り替えられることが必要であると決定する。
【０２３２】
４２２．アクセスネットワークデバイスが変更メッセージを第２のコアネットワークデバイスへ送信し、ここで、変更メッセージは、端末デバイスと第２のコアネットワークデバイスとの間の接続が、端末デバイスと第１のコアネットワークデバイスとの間の接続に切り替えられることが必要であることを、第２のコアネットワークデバイスへ通知するために用いられる。変更メッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子である。
【０２３３】
アクセスネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０２３４】
さらに、ハンドオーバ方法はさらに、アクセスネットワークデバイスが、第１のメッセージを送信する段階であて、第１のメッセージは、第１のコアネットワークデバイスのルート識別子についての情報、または第１のコアネットワークにおけるアクセスネットワークデバイスの識別子についての情報を含む、段階を備える。
【０２３５】
アクセスネットワークデバイスは、ハンドオーバ手順のために十分に準備するように、第１のメッセージを用いることによってハンドオーバ手順において必要とされる情報を、別のネットワーク要素へ通知し得る。
【０２３６】
さらに、ハンドオーバ方法はさらに、アクセスネットワークデバイスが、変更指示メッセージを受信する段階であって、変更指示メッセージがアクセスネットワークデバイスに、端末デバイスに更新を実行するよう指示するよう指示するために用いられる、段階を備える。任意選択的に、変更指示メッセージは、端末デバイスの第２の鍵、および／または第２のコアネットワークインターフェース上の端末デバイスの識別子についての情報を含む。
【０２３７】
３２８．アクセスネットワークデバイスが、更新メッセージを生成し、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。端末デバイスの更新済み鍵は、端末デバイス上に記憶されているローカルキーに基づいて取得される。
【０２３８】
３２９．アクセスネットワークデバイスが、更新メッセージを端末デバイスへ通知する。
【０２３９】
アクセスネットワークデバイスは、変更指示メッセージを受信することによって、第２のコアネットワークデバイスおよび第１のコアネットワークデバイスが切り替えのために十分に準備していることを知り得る。アクセスネットワークデバイスは、ネットワークの要求を満たすように、更新メッセージを生成して送信することによって、端末側で更新手順を開始し得る。
【０２４０】
さらに、ハンドオーバ方法はさらに、以下の段階を備える。
【０２４１】
３３１．アクセスネットワークデバイスが、肯定応答メッセージを第１のコアネットワークデバイスへ送信し、ここで、肯定応答メッセージは、アクセスネットワークデバイスおよび端末デバイスが切り替えを完了していることを示すために用いられる。
【０２４２】
さらに、ハンドオーバ方法はさらに、以下の段階を備える。
【０２４３】
３３１'．アクセスネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０２４４】
第２のコアネットワークデバイスは、前述の解放手順を用いることによって、リソース解放を完了し得て、リソースを節約する。
【０２４５】
ハンドオーバ方法が、端末デバイスにより用いられ、端末デバイスが更新メッセージを受信する段階であって、更新メッセージは端末デバイスに、更新を実行するよう指示するために用いられ、任意選択的に、更新メッセージは端末デバイスに、ＮＡＳタイプを更新する、および／または端末デバイスの鍵を更新するよう指示するために用いられる、段階と、端末デバイスが、ＮＡＳタイプを更新する、および／または端末デバイスの鍵を更新する段階とを備える。
【０２４６】
ＮＡＳタイプを更新する段階は、第２のコアネットワークデバイスと通信を行うために用いられるＮＡＳタイプを、第１のコアネットワークデバイスと通信を行うために用いられるＮＡＳタイプに更新する段階を含み、端末デバイスの鍵を更新する段階は、第２のコアネットワークデバイスと通信を行うために用いられる第１の鍵を、第１のコアネットワークデバイスと通信を行うために用いられる第２の鍵に更新する段階を含む。
【０２４７】
端末デバイスは、ネットワークの要求を満たすように、更新メッセージを用いて対応する更新動作を完了することによって、第２のコアネットワークデバイスから第１のコアネットワークデバイスへのハンドオーバを完了し得る。ネットワークにおいて、第１のコアネットワークデバイスおよび第２のコアネットワークデバイスは、同じアクセスネットワークデバイスを用いることによって端末デバイスと通信を行う。
【０２４８】
本発明の実施形態が通信システムを提供する。通信システムは、端末デバイスと、アクセスネットワークデバイスと、第１のコアネットワークデバイスと、第２のコアネットワークデバイスとを備える。第１のコアネットワークデバイスおよび第２のコアネットワークデバイスは、同じアクセスネットワークデバイスを用いることによって端末デバイスと通信を行う。システムは、図４に示されているハンドオーバ方法を用いてよい。さらに、第１のコアネットワークデバイスおよび第２のコアネットワークデバイスは、異なるコアネットワーク技術を用いてよい。図３における説明を参照されたい。
【０２４９】
以下のデバイスは、図４において説明されている方法の段階に関連してよい。したがって、図３および図４における方法の段階および関連説明は、以下のデバイスに対して、参照を提供し得て、以下のデバイスと同様の利点を有する。説明の簡潔さのため、詳細は再び説明されない。以下の実施形態において、第１のコアネットワークデバイスおよび第２のコアネットワークデバイスは、同じアクセスネットワークデバイスを用いることによって、端末デバイスと通信を行うことが理解され得る。
【０２５０】
図４−１に示されているように、第２のコアネットワークデバイス４９０は、変更メッセージを受信するよう構成される送受信ユニット４９０２であって、変更メッセージは、端末デバイスと第２のコアネットワークデバイスとの間の接続が、端末デバイスと第１のコアネットワークデバイスとの間の接続に切り替えられる必要があることを、第２のコアネットワークデバイスへ通知するために用いられ、任意選択的に、変更メッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子である、送受信ユニット４９０２と、変更肯定応答メッセージを生成するよう構成される処理ユニット４９０１であって、変更肯定応答メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられ、任意選択的に、変更肯定応答メッセージは、端末デバイスの第１の鍵、第１のコアネットワークにおけるアクセスネットワークデバイスの識別子についての情報、および第２のコアネットワークインターフェース上の端末デバイスの識別子についての情報といった３つの項目のうち１つまたはそれらの組み合わせを含む、処理ユニット４９０１とを含む。
【０２５１】
送受信ユニット４９０２はさらに、変更肯定応答メッセージを第１のコアネットワークデバイスへ送信するよう構成される。
【０２５２】
第２のコアネットワークデバイスは、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０２５３】
さらに、第２のコアネットワークデバイスにおいて、端末デバイスは、第２のコアネットワークデバイスとの接続を確立する。
【０２５４】
さらに、第２のコアネットワークデバイスにおいて、送受信ユニットは、第１のメッセージを受信するよう構成され、ここで、第１のメッセージは、第１のコアネットワークデバイスのルート識別子についての情報、または第１のコアネットワークにおけるアクセスネットワークデバイスの識別子についての情報を含む。
【０２５５】
第２のコアネットワークデバイスは、ハンドオーバ手順のために十分に準備するように、第１のメッセージを用いることによってハンドオーバ手順において必要とされる情報を知り得る。
【０２５６】
さらに、第２のコアネットワークデバイスにおいて、送受信ユニットは、解放メッセージを受信するよう構成され、ここで、解放メッセージは、第２のコアネットワークデバイスに、端末デバイスと第２のコアネットワークデバイスとの間の接続を解放するよう指示するために用いられる。
【０２５７】
さらに、第２のコアネットワークデバイスにおいて、処理ユニットは、端末デバイスと第２のコアネットワークデバイスとの間の接続を解放するよう構成される。
【０２５８】
第２のコアネットワークデバイスは、前述の解放手順を用いることによってリソース解放を完了し得て、リソースを節約する。
【０２５９】
図４−２に示されているように、第１のコアネットワークデバイス４８０は、変更肯定応答メッセージを受信するよう構成される送受信ユニット４８０２であって、変更肯定応答メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられ、任意選択的に、変更肯定応答メッセージは、端末デバイスの第１の鍵、第１のコアネットワークにおけるアクセスネットワークデバイスの識別子についての情報、および第２のコアネットワークインターフェース上の端末デバイスの識別子についての情報といった３つの項目のうち１つまたはそれらの組み合わせを含む、送受信ユニット４８０２と、変更指示メッセージを生成するよう構成される処理ユニット４８０１であって、変更指示メッセージは、アクセスネットワークデバイスに、端末デバイスに更新を実行うるよう指示するよう指示するために用いられ、任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される、処理ユニット４８０１とを含む。
【０２６０】
送受信ユニット４８０２はさらに、変更指示メッセージをアクセスネットワークデバイスへ送信するよう構成される。
【０２６１】
第１のコアネットワークデバイスは、変更肯定応答メッセージを受信することによって、第１のコアネットワークデバイスが端末デバイスと接続する必要があることを知り得て、第１のコアネットワークデバイスは、変更指示メッセージを用いることによって、第１のコアネットワークデバイスおよび第２のコアネットワークデバイスが切り替えのために十分に準備していることを、別のネットワーク要素へ通知し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０２６２】
さらに、第１のコアネットワークデバイスにおいて、送受信ユニットは、アクセスネットワークデバイスおよび端末デバイスが切り替えを完了していることを示すために用いられる肯定応答メッセージを受信し、第２のコアネットワークデバイスに端末デバイスと第２のコアネットワークデバイスとの間の接続を解放するよう指示するために用いられる解放メッセージを、第２のコアネットワークデバイスへ送信するよう構成される。
【０２６３】
前述の解放手順に基づいて、第１のコアネットワークデバイスは、第２のコアネットワークデバイスがリソース解放を完了するのに役に立ち得て、リソースを節約する。
【０２６４】
図４−３に示されているように、アクセスネットワークデバイス４７０は、端末デバイスと第２のコアネットワークデバイスとの間の接続が、端末デバイスと第１のコアネットワークデバイスとの間の接続に切り替えられる必要があると決定するよう構成される処理ユニット４７０１と、変更メッセージを第２のコアネットワークデバイスへ送信するよう構成される送受信ユニット４７０２であって、変更メッセージは、端末デバイスと第２のコアネットワークデバイスとの間の接続が、端末デバイスと第１のコアネットワークデバイスとの間の接続に切り替えられる必要があることを、第２のコアネットワークデバイスへ通知するために用いられる、送受信ユニット４７０２とを含む。任意選択的に、変更メッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子である。
【０２６５】
アクセスネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０２６６】
さらに、アクセスネットワークデバイスにおいて、送受信ユニット４７０２は、第１のメッセージを送信するよう構成され、ここで、第１のメッセージは、第１のコアネットワークデバイスのルート識別子についての情報、または第１のコアネットワークにおけるアクセスネットワークデバイスの識別子についての情報を含む。
【０２６７】
アクセスネットワークデバイスは、第１のメッセージを用いることによって、ハンドオーバ手順において必要とされる情報を、別のネットワーク要素へ通知し得て、ハンドオーバ手順のために十分に準備する。
【０２６８】
さらに、アクセスネットワークデバイスにおいて、送受信ユニット４７０２は、変更指示メッセージを受信するよう構成され、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含む。
【０２６９】
処理ユニット４７０１は、更新メッセージを生成するよう構成され、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。
【０２７０】
送受信ユニット４７０２は、更新メッセージを端末デバイスへ通知するよう構成される。
【０２７１】
アクセスネットワークデバイスは、変更指示メッセージを受信することによって、第２のコアネットワークデバイスおよび第１のコアネットワークデバイスが切り替えのために十分に準備していることを知り得る。アクセスネットワークデバイスは、更新メッセージを生成して送信することによって、端末側で更新手順を開始し得て、ネットワークの要求を満たす。
【０２７２】
さらに、アクセスネットワークデバイスにおいて、処理ユニット４７０１は、肯定応答メッセージを生成するよう構成され、ここで、肯定応答メッセージは、アクセスネットワークデバイスおよび端末デバイスが切り替えを完了していることを示すために用いられ、送受信ユニット４７０２は、肯定応答メッセージを第１のコアネットワークデバイスへ送信するよう構成される。
【０２７３】
さらに、アクセスネットワークデバイスにおいて、処理ユニット４７０１は、解放メッセージを生成するよう構成され、っこで、解放メッセージは、第２のコアネットワークデバイスに、端末デバイスと第２のコアネットワークデバイスとの間の接続を解放するよう指示するために用いられ、送受信ユニット４７０２は、解放メッセージを第２のコアネットワークデバイスへ送信するよう構成される。
【０２７４】
第２のコアネットワークデバイスは、前述の解放手順を用いることによってリソース解放を完了し得て、リソースを節約する。
【０２７５】
図４−４に示されているように、端末デバイスは、更新メッセージを受信するよう構成される送受信ユニット４６０２であって、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる、送受信ユニット４６０２と、ＮＡＳタイプを更新する、および／または端末デバイスの鍵を更新するよう構成される処理ユニット４６０１とを含む。
【０２７６】
ＮＡＳタイプを更新することは、第２のコアネットワークデバイスと通信を行うために用いられるＮＡＳタイプを、第１のコアネットワークデバイスと通信を行うために用いられるＮＡＳタイプに更新することを含み、端末デバイスの鍵を更新することは、第２のコアネットワークデバイスと通信を行うために用いられる第１の鍵を、第１のコアネットワークデバイスと通信を行うために用いられる第２の鍵に更新することを含む。
【０２７７】
端末デバイスは、更新メッセージを用いて対応する更新動作を完了することによって、第２のコアネットワークデバイスから第１のコアネットワークデバイスへのハンドオーバを完了し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０２７８】
［第３の実施形態］
【０２７９】
本発明の実施形態がハンドオーバ方法を提供する。方法は、図５に示されている通信システムに適用され、通信システムは、端末デバイスと、第１のアクセスネットワークデバイスと、第２のアクセスネットワークデバイスと、第１のコアネットワークデバイスと、第２のコアネットワークデバイスとを備える。第１のコアネットワークデバイスおよび第２のコアネットワークデバイスは、同じ第１のアクセスネットワークデバイスを用いることによって端末デバイスと通信を行う。さらに、第１のコアネットワークデバイスおよび第２のコアネットワークデバイスは、異なるコアネットワーク技術を用いてよい。図３における説明を参照されたい。第１のアクセスネットワークデバイスは、２つの異なるコアネットワーク技術と互換性を有し得る。
【０２８０】
第３の実施形態は、第１の実施形態と部分的に同様であることが分かる。端末デバイスと第２のコアネットワークデバイスとの間の接続が端末デバイスと第１のコアネットワークデバイスとの間の接続に切り替えられる必要があることにおいて同じであり、相違点は、端末デバイスが、第１のアクセスネットワークデバイスを用いる代わりに、第２のアクセスネットワークデバイスを用いることによって最初に第２のコアネットワークデバイスとの接続を確立することである。第２のアクセスネットワークデバイスは必ずしも、第１のコアネットワークデバイスに直接接続する必要がない。説明の簡潔さのため、同じ参照番号が、図５および図３における同じ部分または同様の部分に用いられる。したがって、詳細は再び説明されない。図３における関連説明は、図５における技術的解決手段を説明するために用いられ得ることが理解され得る。
【０２８１】
図５に示されているように、方法は、以下の段階を備える。
【０２８２】
３１１．端末デバイスが第２のアクセスネットワークデバイスを用いることによって、第２のコアネットワークデバイスとの接続を確立する。端末デバイスは、既知の方式で第２のコアネットワークデバイスとの接続を確立し得る。通常、端末デバイスは、アクセスネットワークデバイスを用いることによって第２のコアネットワークデバイスとの接続を確立する。しかしながら、当業者は、接続が別の方式で確立され得ることを理解し得る。例えば、端末デバイスは、メッセージを第２のコアネットワークデバイスへ直接送信する。
【０２８３】
３１２．第１のアクセスネットワークデバイスは、第１のメッセージを第２のコアネットワークデバイスへ送信し、ここで、第１のメッセージは、第１のコアネットワークデバイスのルート識別子についての情報、または第１のコアネットワークにおけるアクセスネットワークデバイスの識別子についての情報を含む。第１のコアネットワークデバイスのルート識別子についての情報は、第２のコアネットワークデバイスにより第１のコアネットワークデバイスへ送信される予定のメッセージのルートを示すために用いられる。図３における関連説明を参照されたい。
【０２８４】
３１３．第２のコアネットワークデバイスが能力メッセージを受信し、ここで、能力メッセージは、端末デバイスが第１のコアネットワークデバイスとの接続を確立することを端末デバイスがサポートすることを示すために用いられる。能力メッセージは、端末デバイスにより第２のコアネットワークデバイスへ送信されてよく、または、第１のアクセスネットワークデバイスにより第２のコアネットワークデバイスへ送信されてよいことが理解され得る。例えば、能力メッセージは、非アクセス層ＮＡＳメッセージであってよい。
【０２８５】
５１４．第２のアクセスネットワークデバイスがハンドオーバメッセージを生成し、ここで、ハンドオーバメッセージは、端末デバイスと第２のアクセスネットワークデバイスとの間の接続が、端末デバイスと第１のアクセスネットワークデバイスとの間の接続に切り替えられる必要があることを示すために用いられる。さらに、ハンドオーバメッセージは、第２のコアネットワークインターフェース上の端末デバイスの識別子についての情報を含む。第２のコアネットワークインターフェース上の端末デバイスの識別子は、アクセスネットワークデバイスが第２のコアネットワークデバイスと通信を行うインタフェース上の端末デバイスを識別するために用いられる識別子を含み、例えば、Ｓ１  ＡＰ  ＵＥ  ＩＤであり得る。第２のアクセスネットワークデバイスは、ハンドオーバメッセージに基づき、アクセスネットワークデバイス間のハンドオーバ手順を開始する。具体的には、第２のアクセスネットワークデバイスがアクセスネットワークデバイス間のハンドオーバ手順を開始する必要がある条件を決定するために、従来技術におけるセル間ハンドオーバの関連技術を参照されたい。
【０２８６】
５１５．第２のアクセスネットワークデバイスがハンドオーバメッセージを第１のアクセスネットワークデバイスへ送信する。
【０２８７】
第２のアクセスネットワークデバイスは、ハンドオーバメッセージを送信し、別のネットワーク要素に、端末デバイスとの接続を確立するように準備するよう指示する。
【０２８８】
５１６．第１のアクセスネットワークデバイスが報告メッセージを生成し、ここで、報告メッセージは、端末デバイスと第２のアクセスネットワークデバイスとの間の接続が、端末デバイスと第１のアクセスネットワークデバイスとの間の接続に切り替えられる必要があることを、第２のコアネットワークデバイスへ通知するために用いられる。さらに、報告メッセージは、第２のコアネットワークインターフェース上の端末デバイスの識別子についての情報を含む。第２の実施形態における変更メッセージと同様に、報告メッセージはさらに、第１のコアネットワークデバイスのルート識別子についての情報、または第１のコアネットワークにおけるアクセスネットワークデバイスの識別子についての情報を含んでよい。
【０２８９】
５１７．第１のアクセスネットワークデバイスが報告メッセージを第２のコアネットワークデバイスへ送信する。段階５１４から５１７は、従来のセル間ハンドオーバ手順に同様のであり、具体的には、端末デバイスは、第２のネットワークにおける第２のアクセスネットワークデバイスから第１のアクセスネットワークデバイスへハンドオーバされる必要があるが、第１のアクセスネットワークデバイスはさらに、第１のコアネットワークデバイスと接続され、相対的に特殊なアクセスネットワークデバイスであることが理解され得る。
【０２９０】
５２１．第２のコアネットワークデバイスが、端末デバイスと第２のコアネットワークデバイスとの間の接続が、端末デバイスと第１のコアネットワークデバイスとの間の接続に切り替えられる必要があると決定する。図３における段階３２１を参照されたい。詳細は、再び説明されない。例えば、第２のコアネットワークデバイスは、第１のアクセスネットワークデバイスの５Ｇのサービス能力が不十分であり、第１のアクセスネットワークデバイスの４Ｇのサービス能力を用いることが必要であると考え、したがって、コアネットワークデバイス間のハンドオーバ手順が開始される。それに対応して、第２のアクセスネットワークデバイスから第１のアクセスネットワークデバイスへのハンドオーバが実行されるが、ネットワークタイプも変更される。
【０２９１】
５２３．第２のコアネットワークデバイスが変更メッセージを第１のコアネットワークデバイスへ送信し、ここで、変更メッセージは、端末デバイスと第２のコアネットワークデバイスとの間の接続が、端末デバイスと第１のコアネットワークデバイスとの間の接続に切り替えられることが必要であることを、第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。段階３２３を参照されたい。詳細は再び説明されない。
【０２９２】
３２５．第１のコアネットワークデバイスが変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される。図３における解決手段を参照されたい。
【０２９３】
３２７．第１のコアネットワークデバイスが変更指示メッセージを第１のアクセスネットワークデバイスへ送信する。さらに、第１のコアネットワークデバイスは、第１のコアネットワークにおけるアクセスネットワークデバイスの識別子についての情報に基づき、変更指示メッセージをアクセスネットワークデバイスへ送信し得る。
【０２９４】
３２８．第１のアクセスネットワークデバイスが更新メッセージを生成し、ここで、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。端末デバイスの更新済み鍵は、端末デバイス上に記憶されているローカルキーに基づいて、取得される。任意選択的に、新規キーが、第１のコアネットワークデバイスの推定方法と同じ推定方法を用いることによって、ローカルキーから推定される。
【０２９５】
アクセスネットワークデバイスは、第２のコアネットワークインターフェース上の端末デバイスの識別子についての情報に基づき、鍵を更新する必要がある端末デバイスを知り得る。アクセスネットワークデバイスは、端末デバイスと通信を行うときに第２の鍵を用いるように、第２の鍵を受信してローカルに記憶する。
【０２９６】
５２９．第１のアクセスネットワークデバイスが更新メッセージを端末デバイスへ通知する。
【０２９７】
第１のアクセスネットワークデバイスが第２のアクセスネットワークデバイスからのセル間のハンドオーバを完了した場合、言い換えれば、第１のアクセスネットワークデバイスが端末デバイスとの直接接続を確立した場合、もはや第２のアクセスネットワークデバイスを用いる必要がなく、第１のアクセスネットワークデバイスは、更新メッセージを端末デバイスへ直接通知し得ることが理解され得る。代替的な解決手段として、第１のアクセスネットワークデバイスは、更新メッセージを転送するように第２のアクセスネットワークデバイスを用いてよく（不図示）、言い換えれば、第２のアクセスネットワークデバイスは、更新メッセージを処理せずに更新メッセージを転送するのみであることが理解され得る。
【０２９８】
任意選択的に、方法はさらに、第１のアクセスネットワークデバイスが、メッセージを第２のアクセスネットワークデバイスへ送信する段階（不図示）であって、メッセージは、切り替えが完了しており、端末デバイスとの接続が解放され得ることを、第２のアクセスネットワークデバイスに示すために用いられる、段階を備え得る。メッセージは、更新メッセージの前に送信されてよく、または更新メッセージの後に送信されてよく、同様の機能は代わりに、更新メッセージに保持されている情報を用いることによって完了され得る。
【０２９９】
３４１．端末デバイスが、更新メッセージに基づき、ローカルキーを更新する、および／または非アクセス層ＮＡＳタイプを変更する。図３における解決手段を参照されたい。
【０３００】
３３１．アクセスネットワークデバイスが肯定応答メッセージを第１のコアネットワークデバイスへ送信し、ここで、肯定応答メッセージは、アクセスネットワークデバイスおよび端末デバイスが切り替えを完了していることを示すために用いられる。
【０３０１】
３３２．第１のコアネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０３０２】
方法はさらに、段階３３１および３３２の代わりとして、段階３３１'を備えてよい：アクセスネットワークデバイスが、解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０３０３】
さらに、第２のコアネットワークデバイスは、端末デバイスと第２のコアネットワークデバイスとの間の接続を解放する（不図示）。
【０３０４】
第２のコアネットワークデバイスにより開始されたハンドオーバ手順に基づき、端末デバイスと第２のコアネットワークとの間の接続は、アクセスネットワークデバイスを切り替えることなく、端末デバイスと第１のコアネットワークデバイスとの間の接続に切り替えられ得て、これにより、ネットワーク通信要求が効率的に満たされる。
【０３０５】
端末デバイスに対して、最初には従来のセル間ハンドオーバのみが開始される。具体的には、第２のアクセスネットワークデバイスから第１のアクセスネットワークデバイスへのハンドオーバが実行される。しかしながら、第２のコアネットワークデバイスへのアクセスに加えて、第１のアクセスネットワークデバイスは、第１のコアネットワークデバイスへアクセスするので、第２のコアネットワークデバイスはさらに、従来のセル間ハンドオーバに基づき、第２のコアネットワークデバイスから第１のコアネットワークデバイスへのハンドオーバをトリガし、これにより、異なるサービス品質が提供される。例えば、ＵＥはもともと、５Ｇネットワークにおいてのみ、セル間ハンドオーバを実行する。ターゲット基地局がｅ−ｅＮＢであり、基地局が４Ｇネットワークにもアクセスし得るので、５Ｇのコアネットワークデバイスはさらに、ＵＥを４Ｇネットワークへハンドオーバし、対応するコアネットワークデバイスも４ＧのＥＰＣとなる。５Ｇネットワークを確立する初期段階において、５Ｇのサービス能力が不十分であるので、前述の解決手段を用いることによって、ＵＥは、４Ｇネットワークへより迅速にハンドオーバされることができることが分かり、これにより、ハンドオーバ要求が満たされることが分かる。
【０３０６】
図５のフローチャートにおいて、破線は、段階が任意選択的なものであることを示す。具体的には、段階３１１、３１２、３１３および３１３'のうち１つまたはそれらの組み合わせは省略されてよく、段階３３１、３３２および３３１'のうち１つまたはそれらの組み合わせは省略されてよい。図３における説明を参照されたい。
【０３０７】
図５における様々なネットワーク要素に対して、以下の異なる方法が得られ得る。以下の方法は、図５における方法と一致し、同じ部分に対して、詳細は再び説明されない。図５における方法の段階および関連説明は、以下の方法に対して、参照を提供し得て、以下の方法と同様の利点を有する。説明の簡潔さのため、詳細は再び説明されない。以下の方法において、第１のコアネットワークデバイスおよび第２のコアネットワークデバイスは、同じ第１のアクセスネットワークデバイスを用いることによって端末デバイスと通信を行うことが理解され得る。
【０３０８】
ハンドオーバ方法が第２のコアネットワークデバイスにより用いられ、第２のコアネットワークデバイスが、報告メッセージを受信する段階であって、報告メッセージは、端末デバイスと第２のアクセスネットワークデバイスとの間の接続が、端末デバイスと第１のアクセスネットワークデバイスとの間の接続に切り替えられる必要があることを、第２のコアネットワークデバイスへ通知するために用いられる、段階を備える。さらに、報告メッセージは、第２のコアネットワークインターフェース上の端末デバイスの識別子についての情報を含む。
【０３０９】
５２１．第２のコアネットワークデバイスが端末デバイスと第２のコアネットワークデバイスとの間の接続が、端末デバイスと第１のコアネットワークデバイスとの間の接続に切り替えられる必要があると決定する。
【０３１０】
５２３．第２のコアネットワークデバイスが変更メッセージを第１のコアネットワークデバイスへ送信し、ここで、変更メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられる。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。
【０３１１】
第２のコアネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって、端末デバイスと通信を行う。
【０３１２】
さらに、ハンドオーバ方法はさらに、以下の段階を備える：３１１．端末デバイスが第２のコアネットワークデバイスとの接続を確立する。
【０３１３】
さらに、ハンドオーバ方法はさらに、第２のコアネットワークデバイスが、第１のメッセージを受信する段階であって、第１のメッセージは、第１のコアネットワークデバイスのルート識別子についての情報、または第１のコアネットワークにおけるアクセスネットワークデバイスの識別子についての情報を含む、段階、および／または、第２のコアネットワークデバイスが、能力メッセージを受信する段階であって、能力メッセージは、端末デバイスが第１のコアネットワークデバイスとの接続を確立することを端末デバイスがサポートすることを示すために用いられる、段階を備える。
【０３１４】
第２のコアネットワークデバイスは、ハンドオーバ手順のために十分に準備するように、第１のメッセージまたは能力メッセージを用いることによって、ハンドオーバ手順において必要とされる情報を知り得る。
【０３１５】
さらに、ハンドオーバ方法はさらに、第２のコアネットワークデバイスが、解放メッセージを受信する段階であって、解放メッセージは第２のコアネットワークデバイスに、端末デバイスと第２のコアネットワークデバイスとの間の接続を解放するよう指示するために用いられる、段階を備える。
【０３１６】
さらに、ハンドオーバ方法はさらに、第２のコアネットワークデバイスが、端末デバイスと第２のコアネットワークデバイスとの間の接続を解放する段階を備える。
【０３１７】
第２のコアネットワークデバイスは、前述の解放手順を用いることによって、リソース解放を完了し得て、リソースを節約する。
【０３１８】
ハンドオーバ方法が、第１のコアネットワークデバイスにより用いられ、第１のコアネットワークデバイスが、変更メッセージを受信する段階であって、変更メッセージは、端末デバイスと第２のコアネットワークデバイスとの間の接続が、端末デバイスと第１のコアネットワークデバイスとの間の接続い切り替えられる必要があることを、第１のコアネットワークデバイスへ通知するために用いられる、段階を備える。任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む。
【０３１９】
３２５．第１のコアネットワークデバイスが、変更指示メッセージを生成し、ここで、変更指示メッセージは、アクセスネットワークデバイスに、端末デバイスに更新を実行するよう指示するよう指示するために用いられる。任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される。
【０３２０】
３２７．第１のコアネットワークデバイスが変更指示メッセージを第１のアクセスネットワークデバイスへ送信する。さらに、第１のコアネットワークデバイスは、第１のコアネットワークにおけるアクセスネットワークデバイスの識別子についての情報に基づき、変更指示メッセージをアクセスネットワークデバイスへ送信し得る。
【０３２１】
第１のコアネットワークデバイスは、変更メッセージを受信することによって、第１のコアネットワークデバイスが端末デバイスと接続することが必要であることを知り得て、第１のコアネットワークデバイスは、変更指示メッセージを用いることによって、第１のコアネットワークデバイスおよび第２のコアネットワークデバイスが切り替えのために十分に準備していることを、別のネットワーク要素へ通知し得て、ネットワークの要求を満たす。ネットワークにおいて、第１のコアネットワークデバイスおよび第２のコアネットワークデバイスは、同じアクセスネットワークデバイスを用いることによって、端末デバイスと通信を行う。
【０３２２】
さらに、ハンドオーバ方法はさらに、第１のコアネットワークデバイスが肯定応答メッセージを受信する段階であって、肯定応答メッセージは、アクセスネットワークデバイスおよび端末デバイスが切り替えを完了していることを示すために用いられる、段階を備える。
【０３２３】
３３２．第１のコアネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０３２４】
前述の解放手順に基づき、第１のコアネットワークデバイスは、第２のコアネットワークデバイスがリソース解放を完了するのに役に立ち得て、リソースを節約する。
【０３２５】
ハンドオーバ方法が第１のアクセスネットワークデバイスにより用いられ、第１のアクセスネットワークデバイスがハンドオーバメッセージを受信する段階であって、ハンドオーバメッセージは、端末デバイスと第２のアクセスネットワークデバイスとの間の接続が、端末デバイスと第１のアクセスネットワークデバイスとの間の接続に切り替えられる必要があることを示すために用いられる、段階を備える。さらに、ハンドオーバメッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子を含む。
【０３２６】
５１６．第１のアクセスネットワークデバイスが報告メッセージを生成し、ここで、報告メッセージは、端末デバイスと第２のアクセスネットワークデバイスとの間の接続が、端末デバイスと第１のアクセスネットワークデバイスとの間の接続に切り替えられる必要があることを、第２のコアネットワークデバイスへ通知するために用いられる。さらに、報告メッセージは、第２のコアネットワークインターフェース上の端末デバイスの識別子についての情報を含む。
【０３２７】
５１７．第１のアクセスネットワークデバイスが報告メッセージを第２のコアネットワークデバイスへ送信する。
【０３２８】
任意選択的に、報告メッセージはさらに、第１のコアネットワークデバイスのルート識別子についての情報、または第１のコアネットワークにおけるアクセスネットワークデバイスの識別子についての情報を含んでよい。
【０３２９】
ハンドオーバメッセージを用いて報告メッセージを生成することによって、第１のアクセスネットワークデバイスは、切り替えのために準備し、関連情報をコアネットワークデバイスへ送信してよく、ネットワークの要求を満たす。
【０３３０】
ハンドオーバ方法は、第１のアクセスネットワークデバイスにより用いられ、アクセスネットワークデバイスが、変更指示メッセージを受信する段階であって、変更指示メッセージは、第１のアクセスネットワークデバイスに、端末デバイスに更新を実行するよう指示するよう指示するために用いられる、段階を備える。任意選択的に、変更指示メッセージは、端末デバイスの第２の鍵、および／または第２のコアネットワークインターフェース上の端末デバイスの識別子についての情報を含む。
【０３３１】
３２８．アクセスネットワークデバイスが更新メッセージを生成し、ここで、更新メッセージは端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる。
【０３３２】
５２９．アクセスネットワークデバイスが、更新メッセージを端末デバイスへ通知する。
【０３３３】
アクセスネットワークデバイスは、変更指示メッセージを受信することによって、第２のコアネットワークデバイスおよび第１のコアネットワークデバイスが切り替えのために十分に準備したことを知り得る。アクセスネットワークデバイスは、更新メッセージを生成して送信することによって、端末側で更新手順を開始し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０３３４】
さらに、ハンドオーバ方法はさらに、アクセスネットワークデバイスが、第１のメッセージを送信する段階であって、第１のメッセージが第１のコアネットワークデバイスのルート識別子についての情報、または第１のコアネットワークにおけるアクセスネットワークデバイスの識別子についての情報を含む、段階を備える。
【０３３５】
アクセスネットワークデバイスは、第１のメッセージを用いることによって、ハンドオーバ手順において必要とされる情報を別のネットワーク要素へ通知し得て、ハンドオーバ手順のために十分に準備する。
【０３３６】
さらに、ハンドオーバ方法はさらに、以下の段階を備える。
【０３３７】
３３１．アクセスネットワークデバイスが肯定応答メッセージを第１のコアネットワークデバイスへ送信し、ここで、肯定応答メッセージは、アクセスネットワークデバイスおよび端末デバイスが切り替えを完了していることを示すために用いられる。
【０３３８】
さらに、ハンドオーバ方法はさらに、以下の段階を含む。
【０３３９】
３３１'．アクセスネットワークデバイスが解放メッセージを第２のコアネットワークデバイスへ送信し、ここで、解放メッセージは、第２のコアネットワークデバイスに、端末デバイスと第２のコアネットワークデバイスとの間の接続を解放するよう指示するために用いられる。
【０３４０】
前述の解放手順に基づき、アクセスネットワークデバイスは、第２のコアネットワークデバイスがリソース解放を完了するのに役に立ち得て、リソースを節約する。
【０３４１】
ハンドオーバ方法が端末デバイスにより用いられ、端末デバイスが、更新メッセージを受信する段階であって、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる、段階と、端末デバイスが、ＮＡＳタイプを更新する、および／または端末デバイスの鍵を更新する段階とを備える。
【０３４２】
端末デバイスは、更新メッセージを用いて対応する更新動作を完了することによって、第２のコアネットワークデバイスから第１のコアネットワークデバイスへのハンドオーバを完了し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０３４３】
さらに、ハンドオーバ方法はさらに、端末デバイスが、能力メッセージを送信する段階であって、能力メッセージは、端末デバイスが第１のコアネットワークデバイスとの接続を確立することを端末デバイスがサポートすることを示すために用いられる、段階を備える。
【０３４４】
端末デバイスは、能力情報を用いることによって、端末デバイスが第１のコアネットワークデバイスとの通信をサポートし得ることを、別のネットワーク要素へ通知し、切り替えのために十分に準備する。
【０３４５】
ハンドオーバ方法がアクセスネットワークデバイスにより用いられる。アクセスネットワークデバイスは、第２のアクセスネットワークデバイスであり、方法は、以下の段階を備える。
【０３４６】
５１４．アクセスネットワークデバイスがハンドオーバメッセージを生成し、ここで、ハンドオーバメッセージは、端末デバイスと第２のアクセスネットワークデバイスとの間の接続が、端末デバイスと第１のアクセスネットワークデバイスとの間の接続に切り替えられる必要があることを示すために用いられる。さらに、ハンドオーバメッセージは、第２のコアネットワークインターフェース上の端末デバイスの識別子についての情報を含む。第２のコアネットワークインターフェース上の端末デバイスの識別子は、アクセスネットワークデバイスが第２のコアネットワークデバイスと通信を行うインタフェース上の端末デバイスを識別するために用いられる識別子を含み、例えば、Ｓ１  ＡＰ  ＵＥ  ＩＤであってよい。
【０３４７】
５１５．アクセスネットワークデバイスがハンドオーバメッセージを第１のアクセスネットワークデバイスへ送信する。
【０３４８】
第２のアクセスネットワークデバイスがハンドオーバメッセージを送信し、別のネットワーク要素に、端末デバイスとの接続を確立するように準備するよう指示する。
【０３４９】
本発明の実施形態が通信システムを提供する。通信システムは、端末デバイスと、第１のアクセスネットワークデバイスと、第２のアクセスネットワークデバイスと、第１のコアネットワークデバイスと、第２のコアネットワークデバイスとを備える。第１のコアネットワークデバイスおよび第２のコアネットワークデバイスは、同じ第１のアクセスネットワークデバイスを用いることによって端末デバイスと通信を行う。システムは、図５に示されているハンドオーバ方法を用いてよい。さらに、第１のコアネットワークデバイスおよび第２のコアネットワークデバイスは、異なるコアネットワーク技術を用いてよい。例えば、第１のコアネットワークデバイスは、ＬＴＥコアネットワーク技術規格を用いるコアネットワークデバイスであってよく、第２のコアネットワークデバイスは、５Ｇコアネットワーク技術規格を用いるコアネットワークデバイスであってよい。他の例に対して、第１のコアネットワークデバイスは、５Ｇコアネットワーク技術規格を用いるコアネットワークデバイスであってよく、第２のコアネットワークデバイスは、ＬＴＥコアネットワーク技術規格を用いるコアネットワークデバイスであってよい。第１のアクセスネットワークデバイスは、２つの異なるコアネットワーク技術と互換性を有し得る。
【０３５０】
以下のデバイスは、図５に説明されている方法の段階に関連し得る。したがって、図５における方法の段階および関連説明は、以下のデバイスに対して、参照を提供し得て、以下のデバイスと同様の利点を有する。説明の簡潔さのため、詳細は再び説明されない。以下の実施形態において、第１のコアネットワークデバイスおよび第２のコアネットワークデバイスは、同じ第１のアクセスネットワークデバイスを用いることによって端末デバイスと通信を行うことが理解され得る。
【０３５１】
図５−１に示されているように、第２のコアネットワークデバイス５９０は、報告メッセージを受信するよう構成される送受信ユニット５９０２であって、報告メッセージは、端末デバイスと第２のアクセスネットワークデバイスとの間の接続が端末デバイスと第１のアクセスネットワークデバイスとの間の接続に切り替えられる必要があることを、第２のコアネットワークデバイスへ通知するために用いられ、さらに、報告メッセージは、第２のコアネットワークインターフェース上の端末デバイスの識別子についての情報を含む、送受信ユニット５９０２と、端末デバイスと第２のコアネットワークデバイスとの間の接続が、端末デバイスと第１のコアネットワークデバイスとの間の接続に切り替えられる必要があると決定するよう構成される処理ユニット５９０１とを含む。
【０３５２】
送受信ユニット５９０２はさらに、変更メッセージを第１のコアネットワークデバイスへ送信するよう構成され、ここで、変更メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられる。任意選択的に、変更メッセージは、端末デバイスの第１の鍵、および／または第１のコアネットワークにおけるアクセスネットワークデバイスの識別子についての情報を含む。
【０３５３】
第２のコアネットワークデバイスは、切り替えが必要とされていると決定し、変更メッセージを送信し、ハンドオーバ手順をトリガして別のネットワーク要素が切り替えのために準備することを可能にする。したがって、ネットワークの要求が満たされる。ネットワークにおいて、第１のコアネットワークデバイスおよび第２のコアネットワークデバイスは、同じアクセスネットワークデバイスを用いることによって端末デバイスと通信を行う。
【０３５４】
さらに、第２のコアネットワークデバイスにおいて、端末デバイスは、第２のコアネットワークデバイスとの接続を確立する。
【０３５５】
さらに、第２のコアネットワークデバイスにおいて、送受信ユニットは、第１のメッセージを受信するよう構成され、第１のメッセージは、第１のコアネットワークデバイスのルート識別子についての情報、または第１のコアネットワークにおけるアクセスネットワークデバイスの識別子についての情報を含み、および／または、送受信ユニットは、能力メッセージを受信するよう構成され、能力メッセージは、端末デバイスが第１のコアネットワークデバイスとの接続を確立することを端末デバイスがサポートすることを示すために用いられる。
【０３５６】
第２のコアネットワークデバイスは、第１のメッセージまたは能力メッセージを用いることによってハンドオーバ手順において必要とされる情報を知り得て、ハンドオーバ手順のために十分に準備する。
【０３５７】
さらに、第２のコアネットワークデバイスにおいて、送受信ユニットは、解放メッセージを受信するよう構成され、解放メッセージは、第２のコアネットワークデバイスに、端末デバイスと第２のコアネットワークデバイスとの間の接続を解放するよう指示するために用いられる。
【０３５８】
さらに、第２のコアネットワークデバイスにおいて、処理ユニットは、端末デバイスと第２のコアネットワークデバイスとの間の接続を解放するよう構成される。
【０３５９】
第２のコアネットワークデバイスは、前述の解放手順を用いることによって、リソース解放を完了し得て、リソースを節約する。
【０３６０】
図５−２に示されているように、第１のコアネットワークデバイス５８０は、変更メッセージを受信するよう構成される送受信ユニット５８０２であって、変更メッセージは、端末デバイスと第２のコアネットワークデバイスとの間の接続が、端末デバイスと第１のコアネットワークデバイスとの間の接続に切り替えられる必要があることを、第１のコアネットワークデバイスへ通知するために用いられ、任意選択的に、変更メッセージは、端末デバイスの第１の鍵、第１のコアネットワークにおけるアクセスネットワークデバイスの識別子についての情報、および第２のコアネットワークインターフェース上の端末デバイスの識別子についての情報といった内容のうち少なくとも１つまたはそれらの組み合わせを含む、送受信ユニット５８０２と、変更指示メッセージを生成するよう構成される処理ユニット５８０１であって、変更指示メッセージは、アクセスネットワークデバイスに、端末デバイスに更新を実行するよう指示するよう指示するために用いられ、任意選択的に、変更指示メッセージは、端末デバイスの第２の鍵、および／または第２のコアネットワークインターフェース上の端末デバイスの識別子についての情報を含み、第２の鍵は、第１の鍵に基づいて取得される、処理ユニット５８０１とを含む。
【０３６１】
送受信ユニット５８０２はさらに、変更指示メッセージをアクセスネットワークデバイスへ送信するよう構成される。
【０３６２】
第１のコアネットワークデバイスは、変更メッセージを受信することにより、第１のコアネットワークデバイスが端末デバイスと接続する必要があることを知り得て、第１のコアネットワークデバイスは、変更指示メッセージを用いることによって、第１のコアネットワークデバイスおよび第２のコアネットワークデバイスが切り替えのために十分に準備していることを、別のネットワーク要素へ通知し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０３６３】
さらに、第１のコアネットワークデバイスにおいて、送受信ユニットは、肯定応答メッセージを受信するよう構成され、ここで、肯定応答メッセージは、アクセスネットワークデバイスおよび端末デバイスが切り替えを完了していることを示すために用いられ、送受信ユニットは、解放メッセージを第２のコアネットワークデバイスへ送信するよう構成され、ここで、解放メッセージは、第２のコアネットワークデバイスに、端末デバイスと第２のコアネットワークデバイスとの間の接続を解放するよう指示するために用いられる。
【０３６４】
前述の解放手順に基づき、第１のコアネットワークデバイスは、第２のコアネットワークデバイスがリソース解放を完了するのに役に立ち得て、リソースを節約する。
【０３６５】
図５−３に示されているように、アクセスネットワークデバイス５７０が提供される。アクセスネットワークデバイスは、第１のアクセスネットワークデバイスであり、ハンドオーバメッセージを受信するよう構成される送受信ユニット５７０２であって、ハンドオーバメッセージは、端末デバイスと第２のアクセスネットワークデバイスとの間の接続が、端末デバイスと第１のアクセスネットワークデバイスとの間の接続に切り替えられる必要があることを示すために用いられ、さらに、ハンドオーバメッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子を含む、送受信ユニット５７０２と、報告メッセージを生成するよう構成される処理ユニット５７０１であって、報告メッセージは、端末デバイスと第２のアクセスネットワークデバイスとの間の接続が、端末デバイスと第１のアクセスネットワークデバイスとの間の接続に切り替えられる必要があることを、第２のコアネットワークデバイスへ通知するために用いられ、さらに、報告メッセージが第２のコアネットワークインターフェース上の端末デバイスお識別子についての情報を含む、処理ユニット５７０１とを含む。
【０３６６】
送受信ユニット５７０２はさらに、報告メッセージを第２のコアネットワークデバイスへ送信するよう構成される。
【０３６７】
任意選択的に、報告メッセージはさらに、第１のコアネットワークデバイスのルート識別子についての情報、または第１のコアネットワークにおけるアクセスネットワークデバイスの識別子についての情報を含み得る。
【０３６８】
ハンドオーバメッセージを用いて報告メッセージを生成することによって、第１のアクセスネットワークデバイスは、切り替えのために準備し、関連情報をコアネットワークデバイスへ送信してよく、ネットワークの要求を満たす。
【０３６９】
第１のアクセスネットワークデバイス５７０は、変更指示メッセージを受信するよう構成される送受信ユニット５７０２であって、変更メッセージは、端末デバイスと第２のコアネットワークデバイスとの間の接続が、端末デバイスと第１のコアネットワークデバイスとの間の接続に切り替えられる必要があることを第１のコアネットワークデバイスへ通知するために用いられ、任意選択的に、変更指示メッセージは、端末デバイスの第２の鍵、および／または第２のコアネットワークインターフェース上の端末デバイスの識別子についての情報を含む、送受信ユニット５７０２と、更新メッセージを生成するよう構成される処理ユニット５７０１であって、更新メッセージは、端末デバイスに、更新を実行するよう指示するために用いられ、任意選択的に、更新メッセージは端末デバイスに、ＮＡＳタイプを更新する、および／または端末デバイスの鍵を更新するよう指示するために用いられる、処理ユニット５７０１とを含む。
【０３７０】
送受信ユニット５７０２はさらに、更新メッセージを端末デバイスへ通知するよう構成される。
【０３７１】
アクセスネットワークデバイスは、変更指示メッセージを受信することによって、第２のコアネットワークデバイスおよび第１のコアネットワークデバイスが切り替えのために十分に準備することを知り得る。アクセスネットワークデバイスは、更新メッセージを生成して送信することによって、端末側で更新手順を開始し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０３７２】
さらに、アクセスネットワークデバイスにおいて、処理ユニット５７０１は、第１のメッセージを生成するよう構成され、第１のメッセージは、第１のコアネットワークデバイスのルート識別子についての情報、または第１のコアネットワークにおけるアクセスネットワークデバイスの識別子についての情報を含み、送受信ユニット５７０２は、第１のメッセージを送信するよう構成される。
【０３７３】
アクセスネットワークデバイスは、第１のメッセージを用いることによって、ハンドオーバ手順において必要とされる情報を、別のネットワーク要素へ通知し得て、ハンドオーバ手順のために十分に準備する。
【０３７４】
さらに、アクセスネットワークデバイスにおいて、処理ユニット５７０１は、肯定応答メッセージを生成するよう構成され、ここで、肯定応答メッセージは、アクセスネットワークデバイスおよび端末デバイスが切り替えを完了していることを示すために用いられ、送受信ユニット５７０２は、肯定応答メッセージを第１のコアネットワークデバイスへ送信するよう構成される。
【０３７５】
さらに、アクセスネットワークデバイスにおいて、処理ユニット５７０１は、解放メッセージを生成するよう構成され、ここで、解放メッセージは、第２のコアネットワークデバイスに、端末デバイスと第２のコアネットワークデバイスとの間の接続を解放するよう指示するために用いられ、送受信ユニット５７０２は、解放メッセージを第２のコアネットワークデバイスへ送信するよう構成される。
【０３７６】
前述の解放手順に基づき、アクセスネットワークデバイスは、第２のコアネットワークデバイスがリソース解放を完了するのに役に立ち得て、リソースを節約する。
【０３７７】
図５−４に示されているように、端末デバイスは、更新メッセージを受信するよう構成される送受信ユニット５６０２であって、更新メッセージは、端末デバイスに、更新を実行するよう指示するために用いられ、任意選択的に、更新メッセージは、端末デバイスに、ＮＡＳタイプを更新する、および／または端末デバイスの鍵を更新するよう指示するために用いられる、送受信ユニット５６０２と、ＮＡＳタイプを更新する、および／または端末デバイスの鍵を更新するよう構成される処理ユニット５６０１とを含む。
【０３７８】
端末デバイスは、更新メッセージを用いて対応する更新動作を完了することによって、第２のコアネットワークデバイスから第１のコアネットワークデバイスへのハンドオーバを完了し得て、ネットワークの要求を満たす。ネットワークにおいて、第１のコアネットワークデバイスおよび第２のコアネットワークデバイスは、同じアクセスネットワークデバイスを用いることによって、端末デバイスと通信を行う。
【０３７９】
さらに、端末デバイスにおいて、処理ユニットは、能力メッセージを生成するよう構成され、ここで、能力メッセージは、端末デバイスが第１のコアネットワークデバイスとの接続を確立することを端末デバイスがサポートすることを示すために用いられ、送受信ユニットは、能力メッセージを送信するよう構成される。
【０３８０】
端末デバイスは、能力メッセージを用いることによって、端末デバイスが第１のコアネットワークデバイスとの通信をサポートし得ることを、別のネットワーク要素へ通知し、切り替えのために十分に準備する。
【０３８１】
図５−５に示されているように、第２のアクセスネットワークデバイス５５０は、ハンドオーバメッセージを生成するよう構成される処理ユニット５５０１であって、ハンドオーバメッセージは、端末デバイスと第２のアクセスネットワークデバイスとの間の接続が端末デバイスと第１のアクセスネットワークデバイスとの間の接続に切り替えられる必要があることを示すために用いられ、さらに、ハンドオーバメッセージは、第２のコアネットワークインターフェース上の端末デバイスの識別子についての情報を含み、第２のコアネットワークインターフェース上の端末デバイスの識別子は、アクセスネットワークデバイスが第２のコアネットワークデバイスと通信を行うインタフェース上の端末デバイスを識別するために用いられる識別子を含む、処理ユニット５５０１と、ハンドオーバメッセージを第１のアクセスネットワークデバイスへ送信するよう構成される送受信ユニット５５０２とを含む。
【０３８２】
端末デバイスは、更新メッセージを用いて対応する更新動作を完了することによって、第２のコアネットワークデバイスから第１のコアネットワークデバイスへのハンドオーバを完了し得て、ネットワークの要求を満たす。ネットワークにおいて、第１のコアネットワークデバイスおよび第２のコアネットワークデバイスは、同じアクセスネットワークデバイスを用いることによって端末デバイスと通信を行う。
【０３８３】
前述の実施形態において、図３から図５に示されているコアネットワークデバイス、アクセスネットワークデバイス、および端末デバイスは包括的に、通信デバイスと称される。これらの通信デバイスにおいて用いられる処理ユニットは、プロセッサにより実行されてよく、送受信ユニットは、送受信機により実行されてよい。送受信機はまた、送信機、受信機、およびアンテナなどの必要な構成要素を含んでよい。図６または図７に示されている構造は、これらの通信デバイスのために用いられてよい。説明をしやすくするために、詳細は説明されない。
【０３８４】
図示されていないが、通信デバイスはさらに、入力装置、出力装置、およびバッテリなどの別の装置を含んでよいことが理解され得る。プロセッサは、１または複数のソフトウェアプログラムを操作する機能を含んでよい。ソフトウェアプログラムは、メモリに記憶されてよい。プロセッサ、およびメモリに記憶されているソフトウェア指示は通常、通信デバイスにより実行される動作として構成され得る。例えば、プロセッサは、接続プログラムを操作できる。メモリは、ハードディスク、フロッピ（登録商標）ディスクドライブ、または磁気テープなどの、リードオンリメモリ、フラッシュメモリ、または磁気記憶装置であってよい。メモリは、１または複数のソフトウェアプログラム、指示、情報ブロック、複数のデータ、および同様のものを記憶し得る。
【０３８５】
任意選択的に、いくつかの実施形態において、メモリは別々に、図３から図５に示されている方法における通信デバイスにより実行される方法を実行するために用いられる指示を記憶し得る。プロセッサは、メモリに記憶されている指示を実行し得て、（送信機、受信機、およびアンテナなどの）他のハードウェアとの組み合わせで、図３から図５に示されている方法における通信デバイスにより実行される段階を完了してよい。特定の作業処理および有利な効果については、図３から図５に示されている実施形態における通信デバイスの説明を参照されたい。
【０３８６】
前述の方法における段階は、プロセッサにおけるハードウェア集積論理回路を用いることによって、またはソフトウェアの形態における指示を用いうことによって、実行できる。プロセッサは、汎用プロセッサ、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）もしくは別のプログラマブルな論理デバイス、ディスクリートゲートもしくはトランジスタ論理デバイス、またはディスクリートハードウェア構成要素であってよい。プロセッサは、本発明の実施形態に開示されている方法、段階、および論理ブロック図を実現、または実行し得る。汎用プロセッサは、マイクロプロセッサであってよく、またはプロセッサは、任意の従来のプロセッサまたは同様のものであってよい。本発明の実施形態に関連して開示されている方法の段階は、ハードウェア復号プロセッサを用いることによって直接実行されて実現されてよく、または、復号プロセッサにおけるハードウェアおよびソフトウェアモジュールの組み合わせを用いることによって実行されて実現され得る。ソフトウェアモジュールは、ランダムアクセスメモリ（Ｒａｎｄｏｍ  Ａｃｃｅｓｓ  Ｍｅｍｏｒｙ，ＲＡＭ）、フラッシュメモリ、リードオンリメモリ（Ｒｅａｄ−Ｏｎｌｙ  Ｍｅｍｏｒｙ，ＲＯＭ）、プログラマブルリードオンリメモリ、電気的に消去可能プログラマブルメモリ、またはレジスタなどの、当分野における成熟した記憶媒体に位置してよい。記憶媒体は、メモリに位置し、プロセッサは、メモリにおける指示を読み出し、プロセッサのハードウェアとの組み合わせで前述の方法における段階を完了する。
【０３８７】
当業者であれば、本明細書において開示された実施形態で説明された例と組み合わせて、各ユニットおよび各アルゴリズムステップが、電子的ハードウェアまたはコンピュータソフトウェアと電子的ハードウェアとの組み合わせによって実現され得ることを認識し得る。機能がハードウェアまたはソフトウェアによる実行されるかは、技術的解決手段の特定の応用および設計上の制約条件に依存する。当業者は、それぞれの特定の応用に対し、異なる方法を用いることによって、説明されている機能を実行できる。
【０３８８】
説明を簡便かつ簡潔にする目的で、前述のシステム、装置、およびユニットの詳細な動作プロセスについては、前述の方法の実施形態における対応するプロセスを参照されたく、詳細は再びここでは説明されないことを、当業者ならば明白に理解し得る。
【０３８９】
本出願において提供されているいくつかの実施形態では、開示されたシステム、装置、および方法が他の方式で実現され得ることを理解されるべきである。例えば、説明されている装置の実施形態は単に例である。例えば、ユニットの区分は単に論理的機能の区分であり、実際の実装方式において他の区分であってよい。例えば、複数のユニットもしくは構成要素が組み合わせられ、もしくは別のシステムに統合されてよく、または、いくつかの特徴が無視されてよく、もしくは実行されなくてよい。加えて、表示または説明された相互結合または直接結合または通信接続は、いくつかのインタフェースを用いで実現されてよい。装置間またはユニット間の間接結合または通信接続は、電子的形態、機械的形態、または他の形態で実装されてよい。
【０３９０】
別個の部分として説明されたユニットは、物理的に分離されていても、そうでなくてもよい。また、ユニットとして表示された部分は、物理的ユニットであっても、そうでなくてもよく、一箇所に位置してよく、または、複数のネットワークユニットにおいて分散されてよい。これらのユニットの一部又はすべてが、実際の要求に基づいて選択され、実施形態の解決手段の目的を実現してよい。
【０３９１】
加えて、本発明の実施形態における機能ユニットは、１つの処理ユニットに統合されてよく、またはそれらユニットの各々が物理的に単独で存在してよく、または２つ以上のユニットが１つのユニットに統合されてもよい。
【０３９２】
これらの機能がソフトウェア機能ユニットの形態で実現され、別個の製品として販売されるか、または用いられる場合、これらの機能はコンピュータ可読記憶媒体に記憶されてよい。そのような理解に基づいて、本質的には本発明の技術的解決手段、または先行技術に貢献する部分、または一部の技術的解決手段は、ソフトウェア製品の形態で実現されてよい。コンピュータソフトウェア製品は、記憶媒体に記憶され、コンピュータデバイス（パーソナルコンピュータ、サーバ、またはネットワークデバイスなどであってよい）またはプロセッサに、本発明の実施形態において説明された方法の段階のすべてまたはいくつかを実行するように命令するためのいくつかの命令を含む。前述の記憶媒体は、プログラムコードを記憶できる、ＵＳＢフラッシュドライブ、リムーバブルハードディスク、リードオンリメモリ（ＲＯＭ）、ランダムアクセスメモリ（ＲＡＭ）、磁気ディスク、または光ディスクなどの任意の媒体を含む。
【０３９３】
前述の説明は単に、本発明の実施形態を特定するものであり、本発明の保護範囲を限定することを意図するものではない。本発明において開示された技術的範囲内で当業者が容易に考案したあらゆる変形または置き換えは、本発明の保護範囲に含まれるものとする。したがって、本発明の保護範囲は、特許請求の範囲の保護範囲に従うものとする。
【図１】
0006835229.tif 000002
【図２】
0006835229.tif 000003
【図３】
0006835229.tif 000004
【図３−１】
0006835229.tif 000005
【図３−２】
0006835229.tif 000006
【図３−３】
0006835229.tif 000007
【図３−４】
0006835229.tif 000008
【図４】
0006835229.tif 000009
【図４−１】
0006835229.tif 000010
【図４−２】
0006835229.tif 000011
【図４−３】
0006835229.tif 000012
【図４−４】
0006835229.tif 000013
【図５】
0006835229.tif 000014
【図５−１】
0006835229.tif 000015
【図５−２】
0006835229.tif 000016
【図５−３】
0006835229.tif 000017
【図５−４】
0006835229.tif 000018
【図５−５】
0006835229.tif 000019
【図６】
0006835229.tif 000020
【図７】
0006835229.tif 000021